(57)【要約】【課題】  車椅子の乗員や高齢者であっても、観覧車の乗籠に容易に乗降できる観覧車を提供する。【解決手段】  右側及び左側・プラットホーム保持体１３１，１３２は、乗籠１の床面６の上方から平行位置Ｑ１に向けた旋回プラットホーム３６の旋回に伴って、右側及び左側・切換案内体１９１，１９２にて右側及び左側・可動体の前方端部に案内され、案内ローラ１３６を各可動体７３，７５の前方端部に当接して、各可動体７３，７５を後方規制位置Ｐ１から前方規制位置Ｐ２に移動し、前方規制位置Ｐ２にて旋回プラットホーム３６を旋回位置Ｑ２に保持する。各可動体７３，７５を後方規制位置Ｐ１に配置した状態において、各プラットホーム保持体１３１，１３２は、旋回プラットホーム３６を平行位置Ｑ１に保持する。【選択図】  図５０
2018201885.tif 000002
【特許請求の範囲】
【請求項１】
乗籠と、前記乗籠の前後方向において、前記乗籠に並設され、及び前記乗籠の上下方向において、前記乗籠の下方に位置して前記乗籠の床面に平行配置される乗降プラットホームと、を備える観覧車であって、
前記前後方向において、前記乗籠及び前記乗降プラットホームの間に設置され、前記乗籠の下方に位置して前記乗籠の床面に平行する平行位置に配置される旋回プラットホームと、
前記乗籠の左右方向に延びる回転中心線を有し、前記旋回プラットホームの後方端部を前記乗降プラットホームに回転自在に支持する旋回支持体と、
前記旋回プラットホームの右側端部の下方及び左側端部の下方の夫々に位置して前記乗降プラットホームに設置され、前記前後方向の後方規制位置及び前方規制位置の間にて可動自在にされる右側及び左側の可動体と、
前記旋回プラットホームの右側端部及び右側の前記可動体の間、及び前記旋回プラットホームの左側端部及び左側の前記可動体の間の夫々に配置される右側及び左側のプラットホーム保持体と、
前記左右方向に延びる回転中心線を有し、右側の前記プラットホーム保持体の上方端部を前記旋回プラットホームの右側端部に旋回自在に支持し、及び左側の前記プラットホーム保持体の上方端部を前記旋回プラットホームの左側端部に回転自在に支持する右側及び左側の回転支持体と、
前記各プラットホーム保持体の下方端部及び前記各可動体の間の夫々に位置して前記各可動体に設置され、右側の前記プラットホーム保持体の下方端部を右側の前記可動体の前方端部又は後方端部に案内し、及び左側の前記プラットホーム保持体の下方端部を左側の前記可動体の前方端部又は後方端部に案内する右側及び左側の切換案内体と、を備え、
前記旋回プラットホームは、
前記各プラットホーム保持体を前記各切換案内体から離間しつつ前記平行位置から前記乗籠の床面の上方、又は前記乗籠の床面の上方から前記平行位置に旋回され、
前記旋回プラットホームの前方端を前記乗籠の床面に一致する旋回位置に旋回自在とされ、
前記各切換案内体は、
前記各可動体を前記後方規制位置に配置した状態において、前記各プラットホーム保持体の下方端部を前記各可動体の前方端部に案内自在とし、
前記各可動体を前記前方規制位置に配置した状態において、前記各プラットホーム保持体の下方端部を前記各可動体の後方端部に案内自在とし、
前記各プラットホーム保持体は、
前記乗籠の床面から前記平行位置に向けた前記旋回プラットホームの旋回に伴って、前記各切換案内体にて前記各可動体の前方端部に案内され、前記下方端部を前記各可動体の前方端部に当接して、前記各可動体を前記後方規制位置から前記前方規制位置に移動し、及び前記旋回プラットホームを前記旋回位置に保持し、
前記乗籠の床面の上方から前記平行位置に向けた前記旋回プラットホームの旋回に伴って、前記各切換案内体にて前記各可動体の後方端部に案内され、前記下方端部を前記可動体の後方端部に当接して、前記各可動体を前記前方規制位置から前記後方規制位置に移動し、及び前記旋回プラットホームを前記平行位置に保持する
ことを特徴とする観覧車。
【請求項２】
前記各切換案内体は、
前記各可動体の前方端部側から前記旋回プラットホーム及び前記各可動体の前方端部に向けて延在しつつ傾斜される第１案内傾斜平面と、
前記各可動体の後方端部側から前記旋回プラットホーム及び前記各可動体の後方端部に向けて延在しつつ傾斜する第２案内傾斜平面と、
前記第１及び第２案内傾斜平面の頂点と、を有し、
前記各可動体を前記後方規制位置に配置した状態において、前記第１及び第２案内傾斜平面の頂点を前記各回転支持体の回転中心線より後方側に位置し
前記各可動体を前記前方規制位置に配置した状態において、前記第１及び第２案内傾斜平面の頂点を前記各回転支持体の回転中心線より前方側に位置し、
前記各プラットホーム保持体の前記下方端部は、
前記第１及び第２案内傾斜平面に当接自在である
ことを特徴とする請求項１に記載の観覧車。
【請求項３】
前記各プラットホーム保持体は、
前記旋回プラットホーム及び前記各可動体の間に延在される保持軸材と、
前記各切換案内体の前記第１及び第２案内傾斜平面に転動自在に配置される案内ローラと、
前記左右方向に延びる回転中心線を有し、前記案内ローラを前記保持軸材の下方端部に回転自在に支持する回転軸と、を有し、
前記各回転支持体は、
前記各プラットホーム保持体の前記保持軸材の上方端部を、前記旋回プラットホームの右側端部及び左側端部の夫々に回転自在に支持する
ことを特徴とする請求項２に記載の観覧車。
【請求項４】
前記各プラットホーム保持体の前記保持軸材は、
軸心線方向に伸縮自在である
ことを特徴とする請求項３に記載の観覧車。
【請求項５】
前記前後方向において、前記各可動体に並設され、前記前方規制位置にて前記乗降プラットホームに固定される右側及び左側の第１ストッパ体と、
前記前後方向において、前記各可動体に並設され、前記後方規制位置にて前記乗降プラットホームに固定される右側及び左側の第２ストッパ体と、を備え、
前記各第１ストッパ体は、
前記各可動体の前方端部に当接して、前記各可動体の移動を規制し、
前記各第２ストッパ体は、
前記各可動体の後方端部に当接して、前記各可動体の移動を規制する
ことを特徴とする請求項１乃至４の何れかに記載の観覧車。
【請求項６】
前記各第１ストッパ体、及び前記各第２ストッパ体は、
前記前後方向に可動自在として前記乗降プラットホームに固定される
ことを特徴とする請求項５に記載の観覧車。
【発明の詳細な説明】
【技術分野】
【０００１】
本発明は、観覧車に関する。
【背景技術】
【０００２】
一般に、観覧車は、環状の回転枠体、複数の乗籠（ゴンドラ）、及びプラットホームを等備えて構成される。特許文献１は、複数の乗籠を回転枠材に設置し、プラットホームから各乗籠に乗降する。
【先行技術文献】
【特許文献】
【０００３】
【特許文献１】特開２００８−７９９２４号公報
【発明の概要】
【発明が解決しようとする課題】
【０００４】
特許文献1では、プラットホームは、乗籠の間に段差（上下方向に間隔）を隔てて設置されるので、車椅子の乗員や高齢者は、観覧車の乗籠に乗降することが困難である。
【０００５】
本発明は、車椅子の乗員や高齢者であっても、観覧車の乗籠に容易に乗降できる観覧車を提供することにある。
【課題を解決するための手段】
【０００６】
発明に係る請求項１は、乗籠と、前記乗籠の前後方向において、前記乗籠に並設され、及び前記乗籠の上下方向において、前記乗籠の下方に位置して前記乗籠の床面に平行配置される乗降プラットホームと、を備える観覧車であって、前記前後方向において、前記乗籠及び前記乗降プラットホームの間に設置され、前記乗籠の下方に位置して前記乗籠の床面に平行する平行位置に配置される旋回プラットホームと、前記乗籠の左右方向に延びる回転中心線を有し、前記旋回プラットホームの後方端部を前記乗降プラットホームに回転自在に支持する旋回支持体と、前記旋回プラットホームの右側端部の下方及び左側端部の下方の夫々に位置して前記乗降プラットホームに設置され、前記前後方向の後方規制位置及び前方規制位置の間にて可動自在にされる右側及び左側の可動体と、前記旋回プラットホームの右側端部及び右側の前記可動体の間、及び前記旋回プラットホームの左側端部及び左側の前記可動体の間の夫々に配置される右側及び左側のプラットホーム保持体と、前記左右方向の延びる回転中心線を有し、右側の前記プラットホーム保持体の上方端部を前記旋回プラットホームの右側端部に回転自在に支持し、及び左側の前記プラットホーム保持体の上方端部を前記旋回プラットホームの左側端部に回転自在に支持する右側及び左側の回転支持体と、前記各プラットホーム保持体の下方端部及び前記各可動体の間の夫々に位置して前記各可動体に設置され、右側の前記プラットホーム保持体の下方端部を右側の前記可動体の前方端部又は後方端部に案内し、及び左側の前記プラトホーム保持体の下方端部を左側の前記可動体の前方端部又は後方端部に案内する右側及び左側の切換案内体と、を備え、前記旋回プラットホームは、前記各プラットホーム保持体を前記各切換案内体から離間しつつ前記平行位置から前記乗籠の床面の上方、又は前記乗籠の床面の上方から前記平行位置に旋回され、前記旋回プラットホームの前方端を前記乗籠の床面に一致する旋回位置に旋回自在とされ、前記各切換案内体は、前記各可動体を前記後方規制位置に配置した状態において、前記各プラットホーム保持体の下方端部を前記各可動体の前方端部に案内自在とし、前記各可動体を前記前方規制位置に配置した状態において、前記各プラットホーム保持体の下方端部を前記各可動体の後方端部に案内自在とし、前記各プラットホーム保持体は、前記乗籠の床面の上方から前記平行位置に向けた前記旋回プラットホームの旋回に伴って、前記切換案内体にて前記各可動体の前方端部に案内され、前記下方端部を前記可動体の前方端部に当接して、前記各可動体を前記後方規制位置から前記前方規制位置に移動し、及び前記旋回プラットホームを前記旋回位置に保持し、前記乗籠の床面の上方から前記平行位置に向けた前記旋回プラットホームの旋回に伴って、前記各切換案内体にて前記各可動体の後方端部に案内され、前記下方端部を前記各可動体の後方端部に当接して、前記各可動体を前記前方規制位置から前記後方規制位置に移動し、及び前記旋回プラットホームを前記平行位置に保持することを特徴とする観覧車である。
【０００７】
本発明に係る請求項２は、前記各切換案内体は、前記各可動体の前方端部側から前記旋回プラットホーム及び前記各可動体の後方端部に向けて延在しつつ傾斜される第１案内傾斜平面と、前記各可動体の後方端部側から前記旋回プラットホーム及び前記各可動体の前方端部に向けて延在しつつ傾斜される第２案内傾斜平面と、前記第１及び第２案内傾斜平面の頂点と、を有し、前記各可動体前記後方規制位置に配置した状態において、前記第１及び第２案内傾斜平面の頂点を前記各回転支持体の回転中心線より後方側に位置し、前記各可動体を前記前方規制位置に配置した状態において、前記第１及び第２案内傾斜平面の頂点を前記各回転支持体の回転中心線より前方側に位置し、前記各プラットホーム保持体の下方端部は、前記第１及び第２案内傾斜平面に当接自在であることを特徴とする請求項１に記載の観覧車である。
【０００８】
本発明に係る請求項３は、前記各プラットホーム保持体は、前記旋回プラットホーム及び前記各可動体の間に延在される保持軸材と、前記各切換案内体の前記第１及び第２案内傾斜平板に転動自在に配置される案内ローラと、前記左右方向に延びる回転中心線を有し、前記案内ローラを前記保持軸材の下方端部に回転自在に支持する回転軸と、を有し、前記各回転支持体は、前記各プラットホーム保持体の前記保持軸材の上方端部を、前記旋回プラットホームの右側端部及び左側端部の夫々に回転自在に支持することを特徴とする請求項２に記載の観覧車である。
【０００９】
本発明に係る請求項４は、前記各プラットホーム保持体の前記保持軸材は、軸心線方向に伸縮自在であることを特徴とする請求項３に記載の観覧車である。
【００１０】
本発明に係る請求項５は、前記前後方向において、前記各可動体に並設され、前記前方規制位置にて前記乗降プラットホームに固定される右側及び左側の第１ストッパ体と、前記前後方向において、前記各可動体に並設され、前記後方規制位置にて前記乗降プラットホームに固定される右側及び左側の第２ストッパ体と、を備え、前記各第１ストッパ体は、前記各可動体の前方端部に当接して、前記各可動体の移動を規制し、前記各第２ストッパ体は、前記各可動体の後方端部に当接して、前記各可動体の移動を規制することを特徴とする請求項１乃至４の何れかに記載の観覧車である。
【００１１】
本発明に係る請求項６は、前記各第１ストッパ体、及び前記各第２ストッパ体は、前記前後方向に可動自在として前記乗降プラットホームに固定されることを特徴とする請求項５に記載の観覧車である。
【発明の効果】
【００１２】
本発明に係る請求項１では、各可動体を後方規制位置に配置し、及び各プラットホーム保持体にて旋回プラットホームを水平位置に保持する。各可動体を後方規制位置に配置した状態において、旋回プラットホームを平行位置から乗籠の床面の上方に旋回して、各プラットホーム保持体の下方端部を各可動体及び各切換案内板から離間する。各可動体を後方規制位置に配置した状態において、旋回プラットホームを乗籠の床面の上方から平行位置に向けて旋回して、各プラットホーム保持体の下方端部を各切換案体にて各可動体の前方端部に案内し、各可動体の前方端部に当接する。各プラットホーム保持体は、平行位置に向けた旋回プラットホームの旋回に伴って、下方端部にて各可動体を後方規制位置から前方規制位置に移動し、前方規制位置にて旋回プラットホームを旋回位置に保持する。
このように、旋回プラットホームを平行位置から乗籠の床面の上方に向けて旋回し、又は乗籠の床面の上方から平行位置に向けて旋回することで、旋回プラットホームを旋回位置に保持できる。車椅子の乗員、高齢者は、旋回位置に配置した旋回プラットホームから乗籠に乗降できる。
請求項１では、各可動体を前方規制位置に配置した状態において、旋回位置に配置した旋回プラットホーム乗籠の床面の上方に旋回して、各プラットホーム保持他の下方端部を各可動体及び各切換案内体から離間する。各可動体を前方規制位置に配置した状態において、旋回プラットホームを乗籠の床面の上方から平行位置に向けて旋回して、各プラットホーム保持体の下方端部を各切換案内体にて各可動体の後方端部に案内して、下方端部を各可動体の後方端部に当接する。各プラットホーム保持体は、平行位置に向けた旋回プラットホームの旋回に伴って、下方端部にて各可動体を前方規制位置から後方規制位置に移動して、後方規制位置にて旋回プラットホームを平行位置に保持する。
【００１３】
本発明に係る請求項２では、各可動体を後方規制位置に配置した状態において、旋回プラットホームを平行位置から乗籠の床面の上方に旋回して、各プラットホーム保持体の下方端部を各可動体及び各切換案内体から離間すると共に、第１及び第案内傾斜平面の頂点より前方側に配置する。
これにより、各切換案内体は、平行位置に向けた旋回プラットホームの旋回に伴って、各プラットホーム保持体の下方端部を第１案内傾斜平面にて各可動体の前方端部に案内できる。
また、請求項２では、各可動体を前方規制位置に配置した状態において、旋回プラットホームを旋回位置から野籠の床面の上方に向けて旋回して、各プラットホーム保持体の下方端部を各可動体及び各切換案内体から離間すると共に、第１及び第２案内傾斜平面の頂点より候補側に配置する。
これにより、各切換案内体は、平行位置に向けた旋回プラットホームの旋回に伴って、各プラットホーム保持体の下方端部を第２案内傾斜平面にて各可動体の後方端部に案内できる。
【００１４】
本発明に係る請求項３では、乗籠の床面の上方から平行位置に向けた旋回プラットホームの旋回に伴って、各プラットホーム保持体は、案内ローラを各切換案内体の第１案内傾斜平面又は第２案内傾斜平面に転動させる。
これにより、各プラットホーム保持体は、案内ローラの第１又は第２案内傾斜平面にて案内されながら、スムーズに各可動体の前方端部又は後方端部に当接できる。
【００１５】
本発明に係る請求項４では、各プラットホーム保持体の保持軸材を伸縮して長さを調整することで、旋回プラットホームの旋回位置を調整（変更）できる。
【００１６】
本発明に係る請求項５では、各可動体の移動を、各第１及び各第２ストッパ体にて規制して、各可動体及び各プラットホーム保持体を後方規制位置又は前方規制位置に位置することができる。
【００１７】
本発明に係る請求項６では、各第１及び各第２ストッパ体を前後方向に可動（移動）することで、可動体の後方規制位置及び前方期性位置を調整して、各可動体の移動距離を変更できる。
これにより、各プラットホーム保持体の保持軸材の長さを調整し、及び可動体の移動距離を調整することで、旋回プラットホームの旋回位置を調整（変更）できる。
【図面の簡単な説明】
【００１８】
【図１】観覧車を示す側面図である。
【図２】観覧車を示す上面図である。
【図３】乗降プラットホーム（プラットホーム本体）の枠組体、及びベース縦材を示す上面図である。
【図４】乗降プラットホーム（プラットホーム本体）の枠組体、及びベース縦材を示す前方側図である。
【図５】図３のＡ−Ａ矢視図である。
【図６】旋回プラットホームを示す表面図である
【図７】旋回プラットホームを示す裏面図である。
【図８】旋回プラットホームを示す側面図である。
【図９】旋回プラットホームを示す前方面図である。
【図１０】旋回プラットホームを示す後方面図である。
【図１１】（ａ）は、図７のＢ−Ｂ断面図、（ｂ）は、図１１（ａ）の要部拡大断面図である。
【図１２】図７のＣ−Ｃ断面図である。
【図１３】図６の要部拡大図であって、引上体の引上穴を示す表面図である。
【図１４】図７の要部拡大図であって、（ａ）は、引上体の取付平板部及び保持平板部（引上保持材）を示す裏面図、（ｂ）は、引上体の取付平板を示す裏面図である。
【図１５】各旋回プラットホーム及び各旋回支持体を示す表面図である。
【図１６】図７の要部拡大図であって、旋回支持体の旋回突片板を示す裏面図である。
【図１７】図３の要部拡大図であって、各旋回支持体の支持突部材を示す表面図である。
【図１８】図１５の要部拡大図であって、各旋回支持体を示す表面図及び断面図である。
【図１９】各ベース縦材、各ガイド体、各可動体、各第１ストッパ体、各第２ストッパ体、各ストッパ調整体、各プラットホーム保持体、各回転支持体、連結体及び各切換案内体を示す分解斜視図である。
【図２０】旋回プラットホーム、各ベース縦材、各ガイド体、各可動体、各第１ストッパ体、各第２ストッパ体、各ストッパ調整体、各プラットホーム保持体、各回転支持体、連結体及び各切換案内体を示す組立斜視図である。
【図２１】図２０の要部拡大図であって、右側・ベース縦材、右側・ガイド体、右側・可動体、右側・第１ストッパ体、右側・第２ストッパ体、右側・ストッパ調整体、右側・プラットホーム保持体、右側・回転支持体、連結体及び右側・切換案内体を示す組立斜視図である。
【図２２】図２０の要部拡大図であって、左側・ベース縦材、左側・ガイド体、左側・可動体、左側・第１ストッパ体、左側・第２ストッパ体、左側・ストッパ調整体、左側・プラットホーム保持体、左側・回転支持体、連結体及び左側・切換案内体を示す組立斜視図である。
【図２３】旋回プラットホームを平行位置に配置した側面図である。
【図２４】図２３の要部拡大図である。
【図２５】図２３の要部拡大図であって、プラットホーム保持体の全長、第３鋭角度、及び切換案内体の各案内傾斜平面の第１及び第２鋭角度を示す側面図である。
【図２６】図２３のＪ−Ｊ矢視図である。
【図２７】図２６の要部拡大図である。
【図２８】（ａ）は、右側・ガイド体を示す斜視図、（ｂ）は、右側・ガイド体を示す前方側面図である。
【図２９】（ａ）は、右側・可動体及び右側・切換案内体を示す斜視図、（ｂ）は、右側・可動体を示す前方面図である。
【図３０】図２１のＤーＤ断面拡大図である。
【図３１】（ａ）は、左側・ガイド体を示す斜視図、（ｂ）は、左側・ガイド体を示す前方面図である。
【図３２】（ａ）は、左側・可動体及び左側・切換案内体を示す斜視図、（ｂ）は、左側・可動体を示す前方面図である。
【図３３】図２２のＧ−Ｇ断面拡大図である。
【図３４】右側及び左側・第１ストッパ体を示す斜視図である。
【図３５】図２１のＥ−Ｅ断面拡大図である。
【図３６】図２２のＨ−Ｈ断面拡大図である。
【図３７】右側及び左側・第２ストッパ体を示す斜視図である。
【図３８】図２１のＦ−Ｆ断面拡大図である。
【図３９】図２２のＩ−Ｉ断面拡大図である。
【図４０】右側及び左側・ストッパ調整体を示す斜視図であって、（ａ）は、分解斜視図、（ｂ）は、組立斜視図である。
【図４１】右側及び左側・プラットホーム保持体を示す分解斜視図である。
【図４２】右側及び左側・プラットホーム保持体を示す組立斜視図である。
【図４３】図２３のＫーＫ矢視図であって、各旋回プラットホームを平行位置に配置して、に引上棒材を設置した図である。
【図４４】引上棒材を示す拡大図である。
【図４５】図７の要部拡大図であって、（ａ）は、引上棒材を引上穴に挿入した裏面図、（ｂ）は、引上棒材を取付平板部の引上穴に挿入した裏面図、（ｃ）は、引上棒材を保持平板部の円形穴部に挿入した裏面図である。
【図４６】（ａ）は、引下棒材を９０度回転した取付平板部を示す裏面図、（ｂ）は、引上棒材を９０度回転した保持平板部を示す裏面図、（ｃ）は、図４６（ｂ）のＬ−Ｌ断面図である。
【図４７】各可動体を後方規制位置に配置して、中間・旋回プラットホームを平行位置から乗籠の床面の上方に旋回した状態を示す側面図である。
【図４８】各可動体を後方規制位置に配置して、中間・旋回プラットホームを平行位置に向けて旋回して、各プラットホーム保持体の案内ローラを各切換案内体の第１案内傾斜平面に当接した状態を示す側面図である。
【図４９】各可動体を後方規制位置に配置して、各プラットホーム保持体の案内ローラを各可動体の前方側平板に当接した状態を示す側面図である。
【図５０】各可動体を後方規制位置から前方規制位置に移動して、各プラットホーム保持体にて中間・旋回プラットホームを旋回位置に保持した状態を示す側面図である。
【図５１】図５０の要部拡大図である。
【図５２】図５０のＭ−Ｍ矢視図である。
【図５３】各可動体を前方規制位置に配置して、中間・旋回プラットホームを旋回位置から乗籠の床面の上方に旋回した状態を示す側面図である。
【図５４】各可動体を前方規制位置に配置して、中間・旋回プラットホームを平行位置に向けて旋回して、各プラットホーム保持体の案内ローラを各切換案内体の第２案内傾斜平面に当接した状態を示す側面図である。
【図５５】各可動体を前方規制位置に配置して、各プラットホーム保持体の案内ローラを各可動体の後方側平板に当接した状態を示す側面図である。
【発明を実施するための形態】
【００１９】
本発明に係る観覧車について、図１乃至図５５を参照して説明する。
【００２０】
図１及び図２において、観覧車Ｘは、乗籠１（ゴンドラ）、及び乗降プラットホーム２を備える。
【００２１】
＜乗籠１＞
乗籠１は、図１及び図２に示すように、乗降口３、乗降口３を開閉する開閉扉４及び踏み板５（ステップ）を有する。
踏み板５は、図１及び図２に示すように、乗降口３に並設される。踏み板５は、乗籠１の前後方向ＦＲ（以下、「前後方向ＦＲ」という）において、乗籠１から突出して配置される。踏み板５は、乗籠１の床面６を構成し、乗籠１内の床面６と同一の平面に配置される。
【００２２】
＜乗降プラットホーム２＞
乗降プラットホーム２は、図１及び図２に示すように、前後方向ＦＲにおいて、乗籠１に並設される。乗降プラットホーム２は、前後方向ＦＲにおいて、乗籠１の踏み板５（乗降口３）に並設して設置される。
乗降プラットホーム２は、図１に示すように、乗籠１の上下方向ＵＤ（以下、「上下方向ＵＤ」という）において、乗籠１の下方に位置して設置される。乗降プラットホーム２は、上下方向ＵＤにおいて、乗籠１の床面６（踏み板５の床面６）に平行配置される。
なお、上下方向ＵＤは、前後方向ＦＲに直交する方向である。
乗降プラットホーム２は、図１乃至図５に示すように、プラットホーム本体７及び天板８を有する。
【００２３】
プラットホーム本体７は、図１乃至図５に示すように、複数本の横材９，１０，１１、複数本の縦材１２，１３、複数の横枠材１４，１５、複数本の縦枠材１６，１７，１８，１９、及び複数本のベース縦材２０，２１，２２，２３，２４，２５を有して構成される。
【００２４】
各横材９，１０，１１は、図１及び図２に示すように、例えば、鋼材［ジョイスト鋼材（Ｉ鋼材）］で形成される。
横材９（前方横材）は、上下方向ＵＤにおいて、乗籠１の踏み板５の下方に配置され、乗籠１の左右方向ＬＲ（以下、「左右方向ＬＲ」という）に延在される。横材１０は、前後方向ＦＲにおいて、横材９（前方横材）に間隔を隔てて並設される。横材１０は、横材９に平行配置され、左右方向ＦＲに延在される。横材１１（後方横材）は、前後方向ＦＲにおいて、横材１０に間隔を隔てて横材１０の後方に並設される。横材１１は、左右方向ＬＲに延在される。なお、左右方向ＬＲは、前後方向ＦＲ及び上下方向ＵＤに直交する方向である。
【００２５】
各縦材１２，１３は、図２に示すように、例えば、鋼材［チャンネル鋼材（溝形鋼材）］で形成される。各縦材１２，１３は、左右方向ＬＲにおいて、相互に間隔を隔てて並設される。各縦材１２，１３は、前後方向ＦＲにおいて、各横材９，１０に直交して延在される。各縦材１２，１３は、左右方向ＬＲにおいて、横材９（前方横材）の各材端及び横材１０の各材端に隣接して配置される。
【００２６】
各横材９〜１１、及び各縦材１２，１３は、上下方向ＵＤにおいて、乗籠１の下方に位置して乗籠１の床面６（踏み板５の床面６）に平行配置される。
各横材９〜１１、及び各縦材１２，１３は、観覧車Ｘの鋼材構造体Ｚに支持される。
【００２７】
各横枠材１４，１５は、図１及乃至図５に示すように、例えば、鋼材［チャンネル鋼材（溝形鋼材）］で形成される。各横枠材１４，１５は、各横材９，１０の間に配置される。各横枠材１４，１５は、図３に示すように、前後方向ＦＲにおいて、相互に間隔Ｌ１（第１間隔）を隔てて平行配置される。
横枠材１４（前方横枠材）は、横材９（前方横材）に隣接され、横材９に連結（固定）される。横枠材１４は、左右方向ＬＲに延在される。横枠材１５（後方横枠材）は、左右方向ＬＲにおいて、各縦材１２，１３の間に延在され、各縦材１２，１３に直交する。
【００２８】
各縦枠材１６，１７は、図２乃至図５に示すように、例えば、鋼材［チャンネル鋼材（溝形鋼材）］で形成される。各縦枠材１６，１７は、図２及び図３に示すように、左右方向ＬＲにおいて、各縦材１２，１３の間に位置して、相互に間隔を隔てて平行配置される。各縦枠材１６，１７は、左右方向ＬＲにおいて、横枠材１５の各板端に隣接される。各縦枠材１６，１７は、前後方向ＦＲにおいて、各横枠材１４，１５の間に延在され、各横枠材１４，１５に直交する。各縦枠材１６，１７は、各横枠材１４，１５に連結（固定）される。これにより、各縦枠材１６，１７、及び各横枠材１４，１５は、矩形の枠組体Ｇを構成する。枠組体Ｇは、図４に示すように、観覧車Ｘの鋼材構造体Ｚに支持される。
【００２９】
各縦枠材１８，１９は、図２、図３及び図５に示すように、例えば、鋼材［ジョイスト鋼材（Ｉ鋼材）］で形成される。各縦枠材１８，１９は、各横枠材１４，１５の間、及び各縦枠材１６，１７の間に配置される。
縦枠材１８は、図３に示すように、左右方向ＬＲにおいて、縦枠材１６（右側・縦枠材）に間隔Ｗ１（第２間隔）を隔てて平行配置される。縦枠材１８は、前後方向ＦＲにおいて、各横枠材１４，１５の間に延在され、各横枠材１４，１５に直交する。縦枠材１８は、各横枠材１４，１５に連結（固定）して設置される。
縦枠材１９は、図３に示すように、左右方向ＬＲにおいて、縦枠材１７（左側・縦枠材）に間隔Ｗ１を隔てて平行配置される。縦枠材１９は、左右方向ＬＲにおいて、隣設する縦枠材１８に間隔Ｗ１を隔てて平行配置される。縦枠材１９は、前後方向ＦＲにおいて、各横枠材１４，１５の間に延在され、各横枠材１４，１５に直交する。縦枠材１９は、各横枠材１４，１５に連結（固定）して設置される。
【００３０】
各横枠材１４，１５、及び各縦枠材１５〜１９は、上平面１４Ａ〜１９Ａを同一の平面に位置して配置される。同一の平面（平面）は、乗籠１の床面６（踏み板５の床面６）に平行する平面である。
これにより、各横枠材１４，１５、及び各縦枠材１５〜１９は、図３乃至図５に示すように、枠組体Ｇに複数の収納空間Ｙ１，Ｙ２，Ｙ３を区画する。各収納空間Ｙ１〜Ｙ３は、図３に示すように、左右方向ＬＲに並設して区画される。収納空間Ｙ１（右側・収納空間）は、各横枠材１４，１５、及び各縦枠材１６，１８とで区画される。収納空間Ｙ２（中間・収納空間）は、各横枠材１４，１５、及び各縦枠材１８，１９とで区画される。収納空間Ｙ３（左側・収納空間）は、各横枠材１４，１５及び各縦枠材１７，１９とで区画される。
【００３１】
各ベース縦材２０〜２５は、例えば、鋼材［ジョイスト鋼材（Ｉ鋼材）］で形成される。各ベース縦材２０〜２５は、図１乃至図５に示すように、上下方向ＵＤにおいて、各横枠材１４，１５の下方、及び各縦枠材１６〜１９の下方（枠組体Ｇの下方）に配置される。
【００３２】
各ベース縦材２０，２１は、図３乃至図５に示すように、収納空間Ｙ１（右側・収納空間）において、隣設する各縦枠材１６，１８の間に配置される。各ベース縦材２０，２１は、左右方向ＬＲにおいて、相互に間隔Ｗ２（第３間隔）を隔てて平行配置される。ベース縦材２０（右側・ベース縦材）は、縦枠材１６に隣接して配置される。ベース縦材２１（左側・ベース縦材）は、縦枠材１８に隣接して配置される。各ベース縦材２０，２１は、前後方向ＦＲにおいて、各横枠材１４，１５の間に延在される。
【００３３】
各ベース縦材２２，２３は、図３乃至図５に示すように、収納空間Ｙ２（中間・収納空間）において、各縦枠材１８，１９の間に配置される。各ベース縦材２２，２３は、左右方向ＬＲにおいて、相互に間隔Ｗ２を隔てて平行配置される。ベース縦材２２（右側・ベース縦材）は、縦枠材１８に隣接して配置される。ベース縦材２２は、前後方向ＦＲにおいて、各横枠材１４，１５の間に延在される。ベース縦材２３（左側・ベース縦材）は、縦枠材１９に隣接して配置される。ベース縦材２３は、前後方向ＦＲにおいて、各横枠材１４，１５の間に延在される。
【００３４】
各ベース縦材２４，２５は、図３乃至図５に示すように、収納空間Ｙ３（左側・収納空間）において、各縦枠材１７，１９の間に配置される。各ベース縦材２４，２５は、左右方向ＬＲにおいて、相互に間隔Ｗ２を隔てて平行配置される。ベース縦材２４（右側・ベース縦材）は、縦枠材１９に隣接して配置される。ベース縦材２４は、前後方向ＦＲにおいて、各横枠材１４，１５の間に延在される。ベース縦材２５（左側・ベース縦材）は、縦枠材１７に隣接して配置される。ベース縦材２５は、前後方向ＦＲにおいて、各横枠材１４，１５の間に延在される。
【００３５】
プラットホーム本体７において、各ベース縦材２０〜２５は、図４及び図５に示すように、各横枠材１４，１５の下方、及び各縦枠材１６〜１９の下方において、各上平面２０Ａ〜２５Ａを同一の平面ＡＸに位置して配置される。同一平面ＡＸ（平面ＡＸ）は、乗籠１の床面６（踏み板５の床面６）に平行する平面である。
【００３６】
各ベース縦材２０〜２５は、図１、図４及び図５に示すように、複数の支持材３０，３１にて各横枠材１４，１５に吊下げ支持される。各支持材３０，３１は、例えば、鋼平材で形成される。各支持材３０，３１は、前後方向ＦＲにおいて、各ベース縦材２０〜２５の各材端に連結（固定）される。各支持材３０，３１は、上下方向ＵＤに延在して、各横枠材１４，１５の下方端に連結（固定）される。
これにより、各支持材３０，３１は、前後方向ＦＲにおいて、各ベース縦材２０〜２５の各板端を支持して、各ベース縦材２０〜２５を各横枠材１４，１５に吊下げ支持する。
【００３７】
天板８は、図１及び図２に示すように、各収納空間Ｙ１〜Ｙ３を囲んで配置される。天板８は、各横材９〜１１上、各縦材１２，１３上に載置される。天板８は、各横材９〜１１、及び各縦材１２，１３に固定される。
これにより、各収納空間Ｙ１〜Ｙ３は、図２乃至図５に示すように、上下方向ＵＤの上方に開口して、プラットホーム本体７内に形成される。各収納空間Ｙ１〜Ｙ３は、前後方向ＦＲに間隔Ｌ１（前後長Ｌ１）、及び左右方向ＬＦに間隔Ｗ１（左右長Ｗ１）の開口部Ｙａ，Ｙｂ，Ｙｃを有する。各開口部Ｙａ〜Ｙｃは、矩形に形成され、上下方向ＵＤの上方に開口する。
【００３８】
観覧車Ｘは、図１乃至図３、図５乃至図１８に示すように、複数の旋回プラットホーム３５，３６，３７、及び複数の旋回支持体３８，３９，４０を備える。
【００３９】
＜旋回プラットホーム３５〜３７＞
各旋回プラットホーム３５，３６，３７は、図１及び図２に示すように、前後方向ＦＲにおいて、乗籠１及び乗降プラットホーム２の間に並設される。
各旋回プラットホーム３５，３６，３７は、図６乃至図１４に示すように、旋回枠組体４５、前方側カバー材４６、右側及び左側カバー材４７，４８、天井板４９、及び複数の引上体５０，５１を有する。
【００４０】
旋回枠組体４５は、図７乃至図１２に示すように、前方側及び後方側の横枠部材４５Ａ，４５Ｂ、右側及び左側の縦枠部材４５Ｄ，４５Ｃとで構成される。
各横枠部材４５Ａ，４５Ｂ、及び各縦枠部材４５Ｃ，４５Ｄは、例えば、鋼材［アングル鋼材（Ｌ字鋼材］）で形成される。
前方側及び後方側の横枠部材４５Ａ，４５Ｂは、前後方向ＦＲにおいて、相互に間隔を隔てて平行配置される。各横枠部材４５Ａ，４５Ｂは、左右方向ＬＲに延在される。
右側及び左側の縦枠部材４５Ｃ，４５Ｄは、各横枠部材４５Ａ，４５Ｂの間に配置される。各縦枠部材４５Ｃ，４５Ｄは、左右方向ＬＲにおいて、相互に間隔を隔てて平行配置される。各縦枠部材４５Ｃ，４５Ｄは、前後方向ＦＲに延在され、各横枠部材４５Ａ，４５Ｂの各部材端に隣接される。各縦枠部材４５Ｃ，４５Ｄは、前後方向ＦＲにおいて、各横枠部材４５Ａ，４５Ｂに直交する。
各横枠部材４５Ａ，４５Ｂ、及び各縦枠部材４５Ｃ，４５Ｄは、各部材端にて連結（固定）され、長方形の旋回枠組体４５を構成する。
【００４１】
前方側カバー材４６は、図７乃至図１２に示すように、例えば、鋼平板で形成される。前方側カバー材４６は、前後方向ＦＲにおいて、前方側の横枠部材４５Ａの前方に配置され、横枠部材４５Ａに固定される。前方側カバー材４６は、左右方向ＬＲにおいて、前方側の横枠部材４５Ａの各部材端の間に延在される。前方側カバー材４６は、左右方向ＬＲにおいて、前方側の横枠部材４５Ａに沿って配置される。前方側カバー材４６は、上下方向ＵＤにおいて、前方側の横枠部材４５Ａの下方に延在して配置される。
【００４２】
右側カバー材４７、及び左側カバー材４８は、図７乃至図１２に示すように、例えば、鋼平板で形成される。
【００４３】
右側カバー材４７は、図７乃至図１２に示すように、左右方向ＬＲにおいて、右側の縦枠部材４５Ｃの右方に配置され、縦枠部材４５Ｃに固定される。右側カバー材４７は、前後方向ＦＲにおいて、前方側カバー材４６及び後方側の横枠部材４５Ｂの間に延在される。右側カバー材４７は、前後方向ＦＲにおいて、前方側カバー材４６から縦枠部材４５Ｃに沿って横枠部材４５Ｂまで配置される。右側カバー材４７は、上下方向ＵＤにおいて、右側の縦枠部材４５Ｃの下方に延在して配置される。
【００４４】
左側カバー材４８は、図７乃至図１２に示すように、左右方向ＬＲにおいて、左側の縦枠部材４５Ｄの左方に配置され、縦枠部材４５Ｄに固定される。左側カバー材４８は、前後方向ＦＲにおいて、前方側カバー材４６及び後方側の横枠部材４５Ｂの間に延在される。左側カバー材４８は、前後方向ＦＲにおいて、前方側カバー材４６から縦枠部材４５Ｄに沿って横枠部材４５Ｂまで配置される。左側カバー材４８は、上下方向ＵＤにおいて、左側の縦枠部材４５Ｄの下方に延在して配置される。
【００４５】
天井板４９は、図７乃至図１２に示すように、例えば、鋼平板で形成される。天井板４９は、旋回枠組体４５に配置される。天井板４９は、各横枠部材４５Ａ，４５Ｂの上平面４５ａ，４５ｂ、及び各縦枠部材４５Ｃ，４５Ｄの上平面４５ｃ，４５ｄに載置され、旋回枠組体４５（各枠材４５Ａ〜４５Ｄ）に固定される。
天井板４９は、例えば、長方形に形成される。天井板４９は、図７乃至図１０に示すように、前方端４９Ａ（長方形の一方の短辺）、後方端４９Ｂ（長方形の他方の短辺）、右側端４９Ｃ（長方形の一方の長辺）、及び左側端４９Ｄ（長方形の他方の長辺）を有する。
天井板４９は、上下方向ＵＤにおいて、前方端４９Ａを横枠部材４５Ａ（前方側カバー材４６）から突出し、及び後方端４９Ｂを各横枠部材４５Ｂから突出して配置される。前方端４９Ａ及び後方端４９Ｂは、図７に示すように、上下方向ＵＤにおいて、前方側及び後方側の横枠部材４５Ａ，４５Ｂに間隔Ｗ４（第４間隔）を隔てて平行配置される。
天井板４９は、左右方向ＬＲにおいて、右側端４９Ｃ及び左側端４９Ｄを各縦枠部材４５Ｃ，４５Ｄ（各カバー材４７，４８）から突出して配置される。右側端４９Ｃ及び左側端４９Ｄは、図７に示すように、左右方向ＬＲにおいて、右側側及び左側側の縦枠部材４５Ｃ，４５Ｄに間隔Ｗ５（第５間隔）を隔てて平行配置される
【００４６】
各引上体５０，５１は、図６及び図７、図１１、図１３及び乃至図１４に示すように、前後方向ＵＤにおいて、前方側の横枠部材４５Ａに隣接して配置される。各引上体５０，５１は、左右方向ＬＲにおいて、相互に間隔を隔てて対向配置される。
各引上体５０，５１は、左右方向ＬＲにおいて、各縦枠部材４５Ｃ，４５Ｄの夫々に隣接して配置される。
各引上体５０，５１は、図６、図７、図１１、図１３及び図１４に示すように、引上穴５２、及び引上保持材５３を有して構成される。
【００４７】
各引上体５０，５１において、引上穴５２は、図６、図７、図１１及び図１３に示すように、天井板４９に形成される。引上穴５２は、上下方向ＵＤにおいて、天井板４９を貫通して形成される。引上穴５２は、円形穴部５２Ａ及び長穴部５２Ｂを有して形成される。
長穴部５２Ｂは、左右方向ＬＲにおいて、円形穴部５２Ａの直径より狭い穴幅を有する。長穴部５２Ｂは、前後方向ＦＲに延在され、円形穴部５２Ａに直交して連通される。長穴部５２Ｂは、前後方向ＦＲにおいて、円形穴部５２Ａから前方及び後方に延在される。
【００４８】
引上保持材５３は、例えば、鋼平板で形成される。引上保持材５３は、図７、図１１及び図１４に示すように、取付平板部５４及び保持平板部５５を有する。
取付平板部５４は、引上穴５２に対向して天井板４９の裏平面４９Ｙ側に配置される。取付平板部５４は、図１１に示すように、上下方向ＵＤにおいて、天井板４９の裏平面４９Ｙに間隔を隔てて平行配置され、旋回枠組体４５に固定される。
引上体５０において、取付平板部５４は、引上穴５２に対向して配置され、前方側の横枠部材４５Ａ、及び右方側の縦枠部材４５Ｃに取付け固定される。
引上体５１において、取付平板部５４は、引上穴５２に対向して配置され、前方側の横枠部材４５Ａ、及び左方側の縦枠部材４５Ｄに取付け固定される。
【００４９】
取付平板部５４は、図７、図１１及び図１４に示すように、引上穴５６を有する。引上穴５６は、上下方向ＵＤにおいて、取付平板部５４を貫通して形成される。引上げ穴５６は、円形穴部５６Ａ及び長穴部５６Ｂを有して構成される。
円形穴部５６Ａは、引上穴５２の円形穴部５２Ａと同一直径（同一形状）に形成され、引上穴５２の円形穴部５２Ａに対向して配置される。
長穴部５６Ｂは、引上穴５２の長穴部５２Ｂと同一形に形成され、引上穴５２の長穴部５２Ｂに対向して配置される。長穴部５６Ｂは、左右方向ＬＲにおいて、円形穴部５６Ａの直径より狭い穴幅を有する。長穴部５６Ｂは、前後方向ＦＲに延在され、円形穴部５６Ａに直交して連通される。長穴部５６Ｂは、前後方向ＦＲにおいて、円形穴部５６Ａから前方及び後方に延在される。
これにより、引上穴５２の円形穴部５２Ａ、及び取付平板部５４の円形穴部５６Ａは、上下方向ＵＤにおいて、相互に同心として対向配置されて連通される。引上穴５２の長穴部５２Ｂ、及び取付平板部５４の長穴部５６Ｂは、上下方向ＵＤにおいて、相互に対向して連通される。
【００５０】
保持平板部５５は、図７、図１１及び図１４に示すように、上下方向ＵＤにおいて、天井板４９の裏平面４９Ｙ側に配置される。保持平板部５５は、上下方向ＵＤにおいて、取付平板部５４の下方に位置して取付平板部５４に平行配置される。
保持平板部５５は、上下方向ＵＤにおいて、取付平板部５４に間隔を隔てて対向配置される。
引上体５０，５１において、保持平板部５５は、左右方向ＬＲに延在される。
引上体５０において、保持平板部５５は、右側部材端側を取付平板部５４に固定して、取付平板部５４に片持支持される。
引上体５１において、保持平板部５５は、左側部材端を取付平板部５４に固定して、取付平板部５４に片持支持される。
【００５１】
各引上体５０，５１において、保持平板部５５は、図７、図１１及び図１４に示すように、円形穴部５５Ａを有する。円形穴部５５Ａは、上下方向ＵＤにおいて、保持平板部５５を貫通して形成される。円形穴部５５Ａは、引上穴５６の円形穴部５６Ａと同一直径（同一形）に形成され、取付平板部５４の円形穴部５６Ａに対向して配置される。
これにより、引上穴５２の円形穴部５２Ａ、取付平板部５４の円形穴部５６Ａ、及び保持平板部５５の円形穴部５５Ａは、上下方向ＵＤにおいて、相互に同心として対向配置されて連通される。
【００５２】
このように、各旋回プラットホーム３５，３６，３７において、天井板４９の前方端４９Ａは、各旋回プラットホーム３５〜３７の前方端となる（以下、「旋回プラットホーム３５〜３７の前方端４９Ａ」という）。
各旋回プラットホーム３５〜３７において、後方側の横枠部材４５Ｂは、各旋回プラットホーム３５〜３７の後端部となる（以下、「旋回プラットホーム３５〜３７の後方端部４５Ｂ」という）。
【００５３】
各旋回プラットホーム３５〜３７は、図２、図１５、図２３及び図２６に示すように、枠組体Ｇの各収納空間Ｙ１〜Ｙの夫々に配置される。各旋回プラットホーム３５〜３７は、天井板４９の裏平面４９Ｙ側から各カバー板４６〜４８を各収納空間Ｙ１〜Ｙ３の夫々に挿入して配置される。各旋回プラットホーム３５〜３７は、前後方向ＦＲにおいて、前方端４９Ａ（天井板４９の前方端４９Ａ）を乗籠１の床面６（踏み板５の床面６）に向け、及び後方端部４５Ｂ（後方側の横枠部材４５Ｂ）を枠組体Ｇの後方側の横枠材１５に向けて、各収納空間Ｙ１〜Ｙ３の夫々に配置される。
各旋回プラットホーム３５〜３７は、天井板４９の裏平面４９Ｙを、枠組体Ｇの横枠材１４（前方側）の上平面１４Ａ、及び各縦枠材１６〜１９の上平面１６Ａ〜１９Ａに当接して、横枠材１４及び各縦枠材１６〜１９（枠組体Ｇ）に載置される。
各旋回プラットホーム３５〜３７は、上下方向ＵＤにおいて、各ベース縦材２０〜２５に間隔を隔てて枠組体Ｇに設置される。各旋回プラットホーム３５〜３７は、上下方向ＵＤにおいて、各ベース縦材２０〜２５の上方に配置される。
これにより、各旋回プラットホーム３５〜３７は、前後方向ＦＲにおいて、乗籠１及び乗降プラットホーム２の間に並設される。各旋回プラットホーム３５〜３７は、左右方向ＬＲに隣接して並設される。
各旋回プラットホーム３５〜３７は、図２３に示すように、上下方向ＵＤにおいて、乗籠１の床面６（踏み板５の床面６）に間隔ＰＸ（第５間隔）を隔てて平行配置される。
各旋回プラットホーム３５〜３７は、枠組体Ｇに支持され、上下方向ＵＤにおいて、乗籠１の床面６（踏み板５の床面６）に平行する平行位置Ｑ１に配置される。
【００５４】
＜旋回支持体３８，３９，４０＞
各旋回支持体３８，３９，４０は、各旋回プラットホーム３５〜３７の夫々を乗降プラットホーム２（プラットホーム本体７／枠組体Ｇ）に回転自在に支持する。
【００５５】
各旋回支持体３８，３９，４０は、図３、図５乃至図８、図１０、図１５乃至図１８及び図２３に示すように、右側及び左側の旋回突片板６０，６１、右側及び左側の支持突部材６２，６３、右側及び左側の回転軸材６４，６５を有して構成される。
【００５６】
各旋回突片板６０，６１は、図７、図８、図１５、図１６及び図１８に示すように、軸受穴６７を有する。軸受穴６７は、円形穴であって、左右方向ＬＲにおいて、各旋回突片板６０，６１を貫通して形成される。
【００５７】
各支持突部材６２，６３は、図３、図５、図１５、図１７及び図１８に示すように、固定平板６８、複数の支持突片板６９，７０及び軸受穴７１を有する。
各支持突片板６９，７０は、固定平板６８に固定される。各支持突片板６９，７０は、前後方向ＦＲにおいて、固定平板６８に直交して、固定平板６８から前方に突出される。各支持突片板６９，７０は、左右方向ＬＲにおいて、相互に間隔を隔てて平行配置される。
軸受穴７１は、左右方向ＬＲにおいて、各支持突片板６９，７０を貫通して形成される。
【００５８】
各旋回支持体３８〜４０において、各旋回突片板６０，６１は、図６乃至図８、図１０、図１５、図１６及び図１８に示すように、各旋回プラットホーム３５〜３７の夫々に配置される。
右方側及び左方側の旋回突片板６０，６１は、天井板４９の裏平面４９Ｙに当接して、各旋回プラットホーム３５，３６，３７の後方端部４５Ｂ（後方側の横枠部材４５Ｂ）の夫々に固定される。
各旋回突片板６０，６１は、左右方向ＬＲにおいて、相互に間隔を隔てて平行配置される。各旋回突片板６０，６１は、軸受穴６７を左右方向ＬＲに向けて、各旋回プラットホーム３５〜３７の後方端部４５Ｂ（横枠部材４５Ｂ）に固定される。
各旋回突片板６０，６１は、前後方向ＦＲにおいて、各旋回プラットホーム３５〜３７の後方端部６５Ｂ（横枠部材４５Ｂ）から後方に突出される。
各旋回プラットホーム３５〜３７において、各旋回突片板６０，６１は、前後方向ＦＲにおいて、天井板４９の後方端４９Ｂの後方に延在される。
【００５９】
各旋回支持体３８〜４０において、各支持突部材６２，６３は、図３、図５、図１５、図１７及び図１８に示すように、各収納空間Ｙ１〜Ｙ３の夫々に配置される。
各収納空間Ｙ１〜Ｙ３において、各支持突部材６２，６３は、枠組体Ｇの後方側の横枠材１５に固定される。
各収納空間Ｙ１〜Ｙ３の各支持突部材６２，６３は、左右方向ＬＲにおいて、相互に間隔を隔てて配置される。各支持突部材６２，６３は、軸受穴７１を左右方向ＬＲに向けて配置され、固定平板６８を横枠材１５に固定して設置される。収納空間Ｙ１〜Ｙ３の各支持突部材６２，６３は、前後方向ＦＲにおいて、各支持突片板６９，７０を枠組体Ｇの横枠材１５から前方に突出して配置される。
【００６０】
各収納空間Ｙ１〜Ｙ３に収納した各旋回プラットホーム３５〜３７において、各旋回支持体３８〜４０は、図１５、図１８及び図２３に示すように、各旋回突片板６０，６１を、各支持突部材６２，６３の各支持突片板６９，７０の間に挿入して配置される。各旋回支持体３８〜４０は、回転軸材６４，６５を、各支持突片板６９，６０の軸受穴７１、及び各旋回突片板６０，６１の軸受穴６７に挿入して、各旋回プラットホーム３５〜３７を乗降プラットホーム２に回転自在に支持する。
これにより、各旋回支持体３８〜４０は、左右方向ＬＲに延在する回転軸材６４，６５（回転中心線Ａ）を有し、各旋回プラットホーム３５〜３７の後方端部４５Ｂ（横枠部材４５Ｂ）を枠組体Ｇの後方側の横枠材１５（乗降プラットホーム２／プラットホーム本体７）に回転自在に支持する。
【００６１】
各旋回プラットホーム３５〜３７は、図２３に示すように、平行位置Ｑ１から乗籠１の床面６（踏み板５の床面６）の上方に旋回され、又は乗籠１の床面６の上方から平行位置Ｑ１に旋回される。
各旋回プラットホーム３５〜３７は、図５０に示すように、上下方向ＵＤにおいて、前方端４９Ａ（天井板４９の前方端４９Ａ）を、乗籠１の床面６（踏み板５の床面６）に一致する旋回位置Ｑ２に旋回自在とされる。
【００６２】
観覧車Ｘは、図１、図２、及び図１９乃至図３３に示すように、複数の右側のガイド体７２（右側・ガイド体）、複数の右側の可動体７３（右側・可動体）、複数の左側のガイド体７４（左側・ガイド体）、及び複数の左側の可動体７５（左側・可動体）を備える。
【００６３】
＜右側・ガイド体７２＞
各右側・ガイド体７２は、図１９乃至図２１、図２３乃至図２８、及び図３０に示すように、ガイド固定平板７６、右側ガイド部材７７、及び左側ガイド部材７８を有して構成される。
【００６４】
ガイド固定平板７６は、図２１、図２８及び図３０に示すように、例えば、鋼平板で形成される。ガイド固定平板７６は、前後方向ＦＲに延在する長方形平板に形成される。ガイド固定平板７６は、前後方向ＦＲの前方端側及び後方端側に固定平板部７６Ａ，７６Ｂを有する。固定平板部７６Ａは、左右一対の固定用穴７９Ａ，７９Ａを有する。各固定用穴７９Ａは、左右方向ＬＲに並設され、上下方向ＵＤにおいて、固定平板部７６Ａを貫通して形成される。固定平板部７６Ｂは、左右一対の固定用穴７９Ｂ，７９Ｂを有する。各固定用穴７９Ｂ，７９Ｂは、左右方向ＬＲに並設され、上下方向ＵＤにおいて、固定平板部７６Ｂを貫通して形成される。
【００６５】
右側ガイド部材７７は、図２１、図２７、図２８及び図３０に示すように、例えば、鋼材で形成される。右側ガイド部材７７は、左右方向ＬＦにおいて、ガイド固定平板７６の右端側に配置される。右側ガイド部材７７は、上下方向ＵＤにおいて、ガイド固定平板７６の上平面７６ａに立設され、ガイド固定平板７６に固定される。
右側ガイド部材７７は、前後方向ＦＲにおいて、各固定平板部７６Ａ，７６Ｂの間に延在される。
【００６６】
左側ガイド部材７８は、図２７、図２８及び図３０に示すように、例えば、鋼平板で形成される。左側ガイド部材７８は、例えば、縦平板部７８Ａ及び横平板部７８Ｂを有し、各平板部７８Ａ，７８ＢにてＬ字形に形成される。
左側ガイド部材７８は、左右方向ＬＲにおいて、右側ガイド部材７７に間隔を隔てて配置され、ガイド固定平板７６の左端側に配置される。右側ガイド部材７７は、上下方向ＵＤにおいて、縦平板部７８Ａをガイド固定平板７６の上平面７６ａに立設して配置され、縦平板部７８Ａをガイド固定平板７６に固定する。
左側ガイド部材７８は、上下方向ＵＤにおいて、横平板部７８Ｂをガイド固定平板７６に間隔を隔てて平行配置して、ガイド固定平板７６に設置される。
左側ガイド部材７８は、前後方向ＦＲにおいて、各固定平板部７６Ａ，７６Ｂの間に延在される。
【００６７】
各右側・ガイド体７２は、図１９乃至図２１、図２３乃至図２７及び図３０に示すように、各収納空間Ｙ１〜Ｙ３の夫々に配置され、上下方向ＵＤにおいて、各旋回プラットホーム３５〜３７及び各右側・ベース縦材２０，２２，２４の間に配置される。
各右側・ガイド体７２は、左右方向ＬＲにおいて、各旋回プラットホーム３５〜３７の右端側に配置される。各右側・ガイド体７２は、前後方向ＦＲにおいて、固定平板部７６Ａ（前方側・固定平板部）を前方に向け、及び上下方向ＵＤにおいて、各ガイド部材７７，７８を上方（各旋回プラットホーム３５〜３７）に向けて配置される。各右側・ガイド体７２は、ガイド固定平板７６を各右側・ベース縦材２０，２２，２４の上平面２０Ａ，２２Ａ，２４Ａに載置して、各右側・ベース縦材２０，２２，２４（乗降プラットホーム２／プラットホーム本体７）に設置される。
各右側・ガイド体７２は、前後方向ＦＲにおいて、各右側・ベース縦材２０，２２，２４の前方側（乗籠１側）に配置される。
各右側・ガイド体７２は、スペーサ平板９３を介在して、各右側・ベース縦材２０，２２，２４に設置される。
これにより、各右側・ガイド体７２は、ガイド固定平板７６、右側及び左側ガイド部材７７，７８を前後方向ＦＲに延在して、各右側・ベース縦材２０，２２，２４の上平面２０Ａ，２２Ａ，２４Ａに配置される。
【００６８】
＜右側・可動体７３＞
各右側・可動体７３は、図２０、図２１、図２３、図２４、図２９及び図３０に示すように、例えば、上下方向ＵＤの上方に開口する直方体に形成され、スライド平板８０、前方側平板８１、後方側平板８２、右側平板８３及び左側平板８４を有して構成される。
前方側及び後方側平板８１，８２は、前後方向ＦＲにおいて、相互に間隔を隔てて平行配置され、スライド平板８０の前方端及び後方端に設置される。前方側及び後方側平板８１，８２は、上下方向ＵＤにおいて、スライド平板８０の上平面８０ａに立設され、スライド平板８０に固定される。
右側及び左側平板８３，８４は、左右方向ＬＲにおいて、相互に間隔を隔てて平行配置され、スライド平板８０の右端及び左端側に設置される。右側及び左側平板８３，８４は、上下方向ＵＤにおいて、スライド平板８０の上平面８０ａに立設され、スライド平板８０に固定される。右側及び左側平板８３，８４は、前後方向ＦＲにおいて、前方側及び後方側平板８１，８２の間に延在され、前方側及び後方側平板８１，８２に固定される。
【００６９】
左側平板８４は、左右方向ＬＲにおいて、スライド平板８０の左端に間隔を隔てて配置される。
これにより、スライド平板８０は、左右方向ＬＲにおいて、左側平板８４から左方に突出され、ガイド突部８０Ａを有する。ガイド突部８０Ａは、前後方向ＦＲにおいて、前方側及び後方側平板８１，８２の間に延在される。
【００７０】
このように、各右側・可動体７３は、各平板８０〜８４にて直方体に形成され、内部に収容空所ＹＸを区画する。各右側・可動体７３は、上下方向ＵＤの上方に開口する挿入口７３Ａを有し、挿入口７３Ａは、収容空所ＹＸに連通する。
【００７１】
各右側・可動体７３は、図１９乃至図２１、図２３乃至図２７及び図３０に示すように、各収納空間Ｙ１〜Ｙ３の夫々に配置される。各右側・可動体７３は、上下方向ＵＤにおいて、各旋回プラットホーム３５，３６，３７及び各右側・ガイド体７２の間に配置される。各右側・可動体７３は、各右側・ガイド体７２に設置される。
各右側・可動体７３は、前後方向ＵＤにおいて、前方側平板８１を前方に向けて、各右側・ガイド体７２に配置される。
各右側・可動体７３は、スライド平板８０を、各右側・ガイド体７２のガイド固定平板７６上に載置して、各ガイド部材７７，７８の間に配置される。各右側・可動体７３は、ガイド突部８０Ａを各右側・ガイド体７２の横平板部７８Ｂ（左側ガイド部材７８）及びガイド固定平板７６の間に摺動自在に挿入し、スライド平板８０を左側ガイド部材７８及び縦平板部７８Ａに摺動自在として、各ガイド部材７７，７８の間に配置される。
これにより、各右側・可動体７３は、各右側・ガイド体７２にてガイド（案内）され、前後方向ＦＲに可動自在とされる。
右側・可動体７３は、前後方向ＵＤ及び左右方向ＬＲにおいて、各旋回プラットホーム３５，３６，３７の右側端部の下方に位置して、乗降プラットホーム２（各右側・ベース縦材２０，２２，２４）に設置される。
【００７２】
各右側・可動体７３において、前方側平板８１は、各右側・可動体７３の前方端部となる（以下、「右側・可動体７３の前方端部８１」という）。
各右側・可動体７３において、後方側平板８２は、各右側・可動体７３の後方端部となる（以下、「右側・可動体７３の後方端部８２」という）。
【００７３】
＜左側・ガイド体７４＞
各左側・ガイド体７４は、図２０、図２２乃至図２７、図３１及び図３３に示すように、ガイド固定平板８５、右側ガイド部材８６、及び左側ガイド部材８７を有して構成される。
【００７４】
ガイド固定平板８５は、図２２乃至図２４、図３１及び図３３に示すように、右側・ガイド体７２のガイド固定平板７６と同一部材であって、各固定平板部７６Ａ，７６Ｂ、及び左右一対の各固定用穴７９Ａ，７９Ｂを有する。
【００７５】
右側ガイド部材８６は、図２１、図２７、図３１及び図３３に示すように、右側・ガイド体７２の左側ガイド部材７８と同一部材であって、縦平板部７８Ａ及び横平板部７８Ｂを有し、各平板部７８Ａ，７８ＢにてＬ字形に形成される。
右側ガイド部材８６は、左右方向ＬＲにおいて、ガイド固定平板８５の右端側に配置される。右側ガイド部材８６は、上下方向ＵＤにおいて、縦平板部７８Ａをガイド固定平板８５の上平面８５ａに立設定して配置され、縦平板部７８Ａをガイド固定平板８５に固定する。
右側ガイド部材８６は、上下方向ＵＤにおいて、横平板部７８Ｂをガイド固定平板８５に間隔を隔てて平行配置して、ガイド固定平板８５に設置される。
右側ガイド部材８６は、前後方向ＦＲにおいて、各固定平板部７６Ａ，７６Ｂの間に延在される。
【００７６】
左側ガイド部材８７は、図２７、図３１及び図３３に示すように、右側・ガイド体７２の右側ガイド部材７７と同一部材であって、左右方向ＬＲにおいて、右側ガイド部材８６に間隔を隔てて配置され、ガイド固定平板８５の左端側に設置される。左側ガイド部材８７は、上下方向ＵＤにおいて、ガイド固定平板８５の上平面８５ａに立設され、ガイド固定平板８５に固定される。
左側ガイド部材８７は、前後方向ＦＲにおいて、各固定平板部７６Ａ，７６Ｂの間に延在される。
【００７７】
各左側・ガイド体７４は、図１９、図２０、図２２乃至図２７及び図３３に示すように、各収納空間Ｙ１〜Ｙ３の夫々に配置され、上下方向ＵＤにおいて、各旋回プラットホーム３５〜３７及各左側・ベース縦材２１，２３，２５の間に配置される。
各左側・ガイド体７４は、左右方向ＬＲにおいて、各旋回プラットホーム３５〜３７の左端側に配置される。各左側・ガイド体７４は、前後方向ＦＲにおいて、固定平板部７６Ａ（前方側・固定平板部）を前方に向け、及び上下方向ＵＤにおいて、各ガイド部材８６，８７を上方（各旋回プラットホーム３５〜３７）に向けて配置される。各左側・ガイド体７４は、ガイド固定平板８５を各左側・ベース縦材２１，２３，２５の上平面２１Ａ，２３Ａ，２５Ａに載置して、各左側・ベース縦材２１，２３，２５（乗降プラットホーム２／プラットホーム本体７）に設置される。
各左側・ガイド体７４は、前後方向ＦＲにおいて、各左側・ベース縦材２１，２３，２５の前方側（乗籠１側）に配置される。
各左側・ガイド体７４は、各右側・ベース縦材２０，２２，２４上の各右側・ガイド体７２と同一位置にて並設され、各左側・ベース縦材２１，２３，２５に設置される。
各左側・ガイド体７４は、スペーサ平板９３を介在して各左側・ベース縦材２１，２３，２５に設置される。
これにより、各左側・ガイド体７４は、ガイド固定平板８５、右側及び左側ガイド部材８６，８７を前後方向ＦＲに延在して、各左側・ベース縦材２１，２３，２５の上平面２１Ａ，２３Ａ，２５Ａに配置される。
【００７８】
＜左側・可動体７５＞
各左側・可動体７５は、図１９、図２０、図２２乃至図２７、図３２及び図３３に示すように、右側・可動体７３と同一であって、上下方向ＵＤの上方に開口する直方体に形成される。各左側・可動体７５は、右側・可動体７３と同一部材であって、スライド平板８０、前方側平板８１、後方側平板８２、右側平板８３及び左側平板８４を有して構成される。
各左側・可動体７５の前方側及び後方側平板８１，８２は、前後方向ＦＲにおいて、相互に間隔を隔てて平行配置され、スライド平板８０の前方端及び後方端に設置される。各左側・可動体７５の前方側及び後方側平板８１，８２は、上下方向ＵＤにおいて、スライド平板８０の上平面８０ａに立設され、スライド平板８０に固定される。
各左側・可動体７５の右側及び左側平板８３，８４は、左右方向ＬＲにおいて、相互に間隔を隔てて平行配置され、スライド平板８０の右端側及び左端に設置される。各左側・可動体７５の右側及び左側平板８３，８４は、上下方向ＵＤにおいて、スライド平板８０の上平面８０ａに立設され、スライド平板８０に固定される。各左側・可動体７５の右側及び左側平板８３，８４は、前後方向ＦＲにおいて、前方側及び後方側平板８１，８２の間に延在され、前方側及び後方側平板８１，８２に固定される。
【００７９】
各左側・可動体７５の右側平板８３は、左右方向ＬＲにおいて、スライド平板８０の右端に間隔を隔てて配置される。
これにより、各左側・可動体７５のスライド平板８０は、左右方向ＬＲにおいて、右側平板８３から右方に突出され、ガイド突部８０Ｂを有する。ガイド突部８０Ｂは、前後方向ＦＲにおいて、前方側及び後方側平板８１，８２の間に延在される。
【００８０】
このように、各左側・可動体７５は、各平板８０〜８４にて、右側・可動体７３と同一の直方体に形成され、内部に収容空所ＹＸを区画する。各左側・可動体７５は、上下方向ＵＤの上方に開口する挿入口７５Ａを有し、挿入口７５Ａは、収容空所ＹＸに連通する。
【００８１】
各左側・可動体７５は、図１９、図２０、図２２乃至図２７及び図３３に示すように、各収納空間Ｙ１〜Ｙ３の夫々に配置される。各左側・可動体７５は、上下方向ＵＤにおいて、各旋回プラットホーム３５，３６，３７及び各左側・ガイド体７４の間に配置される。各左側・可動体７５は、各左側・ガイド体７４に設置される。
各左側・可動体７５は、前後方向ＵＤにおいて、前方側平板８１を前方に向けて、各左側・ガイド体７４に配置される。
各左側・可動体７５は、スライド平板８０を、各左側・ガイド体７４のガイド固定平板８５上に載置して、各ガイド部材８６，８７の間に配置される。各左側・可動体７５は、ガイド突部８０Ｂを各左側・ガイド体７４の横平板部７８Ｂ（右側ガイド部材８６）及びガイド固定平板８５の間に摺動自在に挿入し、スライド平板８０を左側ガイド部材８７及び縦平板部７８Ａに摺動自在として、各ガイド部材８６，８７の間に配置される。
これにより、各左側・可動体７５は、各左側・ガイド体７４にてガイド（案内）され、前後方向ＦＲに可動自在とされる。
各左側・可動体７５は、前後方向ＵＤ及び左右方向ＬＤにおいて、各旋回プラットホーム３５，３６，３７の左側端部の下方に位置して、乗降プラットホーム２（各左側・ベース縦材２１，２３，２５）に設置される。
【００８２】
各左側・可動体７５において、前方側平板８１は、各左側・可動体７５の前方端部となる（以下、「左側・可動体７５の前方端部８１」という）。
各左側・可動体７５において、後方側平板８２は、各左側・可動体７５の後方端部となる（以下、「左側・可動体７５の後方端部８２」という）。
【００８３】
観覧車Ｘは、図１９乃至図２４、及び図３４乃至図４０に示すように、複数の右側の第１ストッパ体９４（右側・第１ストッパ体）、複数の左側の第１ストッパ体９５（右側・第１ストッパ体）、複数の右側の第２ストッパ体１０５（右側・第２ストッパ体）、及び複数の左側の第２ストッパ体１０６（左側・第２ストッパ体）、複数の右側のストッパ調整体１０７（右側・ストッパ調整体）、及び複数の左側のストッパ調整体１０８（左側・ストッパ調整体）を備える。
【００８４】
＜第１ストッパ体９４，９５＞
各右側及び各左側の第１ストッパ体９４，９５は、図２０乃至図２４、及び図３４乃至図３６に示すように、第１ストッパ材であって、ストッパ固定平板９６、ストッパ平板９７、ストッパ支持平板９８を有して構成される。
【００８５】
ストッパ固定平板９６は、例えば、鋼平板で形成される。ストッパ固定平板９６は、図２１乃至図２４、及び図３４乃至図３６に示すように、左右一対のスライド用長穴９９，９９を有する。各スライド用長穴９９，９９は、左右方向ＬＲにおいて、相互に間隔を隔てて平行配置される。各スライド用長穴９９，９９は、前後方向ＦＲに延在され、上下方向ＵＤにおいて、ストッパ固定平板９６を貫通して形成される。
【００８６】
ストッパ平板９７は、例えば、鋼平板で形成される。ストッパ平板９７は、図２１乃至図２４、及び図３４乃至図３６に示すように、前後方向ＦＲにおいて、ストッパ固定平板９６の後方端に配置される。ストッパ平板９７は、上下方向ＵＤにおいて、ストッパ固定平板９６の上平面９６ａに立設され、ストッパ固定平板９６に固定される。
【００８７】
ストッパ支持平板９８は、図３４乃至図３６に示すように、左右方向ＬＲにおいて、各スライド用長穴９９，９９の間に位置して配置される。ストッパ支持平板９８は、上下方向ＵＤにおいて、ストッパ固定平板９６の上平面９６ａに立設され、ストッパ固定平板９６に固定される。ストッパ支持平板９８は、前後方向ＦＲにおいて、ストッパ平板９７より前方に配置され、ストッパ平板９７に固定される。
【００８８】
各右側・第１ストッパ体９４は、図１９乃至図２１、図２３及び図２４に示すように、各収納空間Ｙ１〜Ｙ３の夫々に配置され、上下方向ＵＤにおいて、各旋回プラットホーム３５〜３７及び各右側・ガイド体７２の間に配置される。
各右側・第１ストッパ体９４は、前後方向ＦＲにおいて、各右側・ガイド体７２の固定平板部７６Ａ（前方側・固定平板部）に設置される。各右側・第１ストッパ体９４は、前後方向ＦＲにおいて、ストッパ固定平板９６を前方に向けて配置され、ストッパ固定平板９６を各右側・ガイド体７２の固定平板部７６Ａに載置して設置される。各右側・第１ストッパ体９４は、ストッパ平板９７を各右側・可動体７３の前方側平板８１に平行配置して、固定平板部７６Ａに載置される。各右側・第１ストッパ体９４は、各スライド用長穴９９，９９を固定平板部７６Ａの各固定用穴７９Ａ，７９Ａに対向して配置される。
右側・各第１ストッパ体９４は、図１９、図２１、図２３、図２４及び図３５に示すように、複数のボルト１００（ネジ軸材）及び複数のナット１０１にて各右側・ベース縦材２０，２２，２４に固定される。各ボルト１００は、各右側・第１ストッパ体９４の各スライド用長穴９９，９９、各右側・ガイド体７２の固定用穴７９Ａ，７９Ａ、スペーサ平板９３及び各右側・ベース縦材２０，２２，２４を貫通して配置される。各ナット１０１は、各右側・ベース縦材２０，２２，２４から突出する各ボルト１００に螺着される。
これにより、各右側・第１ストッパ体９４、及び各右側・ガイド体７２は、各ボルト１００及び各ナット１０１の締付けにて、各右側・ベース縦材２０，２２，２４（乗降プラットホーム２／プラットホーム本体７）に固定される。
各右側・第１ストッパ体９４は、ストッパ平板９７を前後方向ＦＲの前方規制位置Ｐ２に位置決めして、各ボルト１００及び各ナット１０１にて、各右側・ベース縦材２０，２２，２４に固定される。
各右側・第１ストッパ体９４は、各ボルト１００を緩めることで、各ボルト１００にてガイド（案内）されつつ各スライド用長穴９９，９９に沿って前後方向ＦＲに可動自在とされる。
【００８９】
各左側・第１ストッパ体９５は、図１９、図２０、図２２乃至図２４及び図３６に示すように、各収納空間Ｙ１〜Ｙ３の夫々に配置され、上下方向ＵＤにおいて、各旋回プラットホーム３５〜３７及び各左側・ガイド体７４の間に配置される。
各左側・第１ストッパ体９５は、前後方向ＦＲにおいて、各左側・ガイド体７４の固定平板部７６Ａ（前方側・固定平板部７６Ａ）に設置される。各左側・第１ストッパ体９５は、前後方向ＦＲにおいて、ストッパ固定平板９６を前方に向けて配置され、ストッパ固定平板９６を各左側・ガイド体７４の固定平板部７６Ａに載置して設置される。各左側・第１ストッパ体９５は、ストッパ平板９７を各左側・可動体７５の前方側平板８１に平行配置して、固定平板部７６Ａに載置される。各右側・第１ストッパ体９４は、各スライド用長穴９９，９９を固定平板部７６Ａの各固定用穴７９Ａ，７９Ａに対向して配置される。
各左側・第１ストッパ体９５は、図１９、図２２乃至図２４及び図３６に示すように、複数のボルト１００（ネジ軸材）及びナット１０１にて各左側・ベース縦材２１，２３，２５に固定される。各ボルト１００は、上下方向ＵＤにおいて、各左側・ガイド体７４の各スライド用長穴９９，９９、各左側・ガイド体７４の各固定用穴７９Ａ，７９Ａ、スペーサ平板９３及び各左側・ベース縦材２１，２３，２５を貫通して配置される。各ナット１０１は、各左側・ベース縦材２１，２３，２５から突出するボルト１００に螺着される。
これにより、各左側・第１ストッパ体９５、及び各左側・ガイド体７４は、各ボルト１００及び各ナット１０１の締付けにて、各左側・ベース縦材２１，２３，２５（乗降プラットホーム２／プラットホーム本体７）に固定される。
各左側・第１ストッパ体９５は、ストッパ平板９７を前後方向ＦＲの前方規制位置Ｐ２に位置決めして、各ボルト１００及び各ナット１０１にて、各左側・ベース縦材２１，２３，２５に固定される。
各左側・第１ストッパ体９５は、各ボルト１００を緩めることで、各ボルト１００でガイド（案内）されつつ各スライド用長穴９９，９９に沿って前後方向ＦＲに可動自在とされる。
【００９０】
＜第２ストッパ体１０５，１０６＞
各右側及び各左側の第２ストッパ体１０５，１０６は、図１９乃至図２４、及び図３７乃至図３９に示すように、ストッパ固定平板１１５、前方側ストッパ平板１１６、後方側ストッパ平板１１７、及びストッパ支持平板１１８を有して構成される。
【００９１】
ストッパ固定平板１１５は、図２１、図２２、図２４、及び図３７乃至図３９に示すように、例えば、鋼平板で形成される。ストッパ固定平板１１５は、左右一対のスライド用長穴１１９，１１９を有する。各スライド用長穴１１９，１１９は、左右方向ＬＲにおいて、相互に間隔を隔てて平行配置される。各スライド用長穴１１９，１１９は、前後方向ＦＲに延在され、上下方向ＵＤにおいて、ストッパ固定平板１１５を貫通して形成される。
【００９２】
前方側及び後方側ストッパ平板１１６，１１７は、図２１、図２２、図２４、及び図３７乃至図３９に示すように、例えば、鋼平板で形成される。前方側及び後方側ストッパ平板１１６，１１７は、前後方向ＦＲにおいて、相互に間隔を隔てて平行配置される。前方側ストッパ平板１１６は、前後方向ＦＲにおいて、ストッパ固定平板１１５の前方端に配置され、後方側ストッパ平板１１７は、前後方向ＦＲにおいて、ストッパ固定平板１１５の後方端に配置される。
前方側及び後方側ストッパ平板１１６，１１７は、上下方向ＵＤにおいて、ストッパ固定平板１１５の上平面１１５ａに立設され、ストッパ固定平板１１５に固定される。
【００９３】
ストッパ支持平板１１８は、図３７に示すように、例えば、鋼平板で形成される。ストッパ支持平板１１８は、左右方向ＬＲにおいて、各スライド用長穴１１９，１１９の間に配置される。ストッパ支持平板１１８は、上下方向ＵＤにおいて、ストッパ固定平板１１５に立設され、ストッパ固定平板１１５に固定される。ストッパ支持平板１１８は、前後方向ＬＲにおいて、前方側及び後方側ストッパ平板１１６，１１７の間に延在され、前方側及び後方側ストッパ平板１１６，１１７に固定される。
【００９４】
各右側・第２ストッパ体１０５は、図１９乃至図２１、図２３、図２４及び図３６に示すように、各収納空間Ｙ１〜Ｙ３の夫々に配置され、上下方向ＵＤにおいて、各旋回プラットホーム３５〜３７及び各右側・ガイド体７２の間に配置される。
各右側・第２ストッパ体１０５は、前後方向ＦＲにおいて、各右側・第１ストッパ体９４に間隔を隔てて配置され、各右側・ガイド体７２の固定平板部７６Ｂ（後方側・固定平板部）に設置される。各右側・第２ストッパ体１０５は、前後方向ＦＲにおいて、前方側ストッパ平板１１６を前方に向けて配置される。各右側・第２ストッパ体１０５は、前方側ストッパ平板１１６を各右側・可動体７３の後方側平板８２に平行配置して、固定平板部７６Ｂに載置される。
各右側・第２ストッパ体１０５は、各スライド用長穴１１９，１１９を固定平板部７６Ｂの各固定用穴７９Ｂ，７９Ｂに対向配置し、及びストッパ固定平板１１５を各右側・ガイド体７２の固定平板部７６Ｂ上に載置して設置される。
各右側・各第２ストッパ体１０５は、図１９乃至図２１、図２５及び図３８に示すように、複数のボルト１２０（ネジ軸材）及び複数のナット１２１にて各右側・ベース縦材２０，２２，２４に固定される。各ボルト１２０は、各右側・第２ストッパ体１０５の各スライド用長穴１１９，１１９、各右側・ガイド体７２の固定用穴７９Ｂ，７９Ｂ、スペーサ平板９３及び各右側・ベース縦材２０，２２，２４を貫通して配置される。各ナット１２１は、各右側・ベース縦材２０，２２，２４から突出する各ボルト１２０に螺着される。
これにより、各右側・第２ストッパ体１０５、及び各右側・ガイド体７２は、各ボルト１２０及び各ナット１２１の締付けにて、各右側・ベース縦材２０，２２，２４（乗降プラットホーム２／プラットホーム本体７）に固定される。
各右側・第２ストッパ体１０５は、前方側ストッパ平板１１６を前後方向ＦＲの後方規制位置Ｐ１に位置決め（固定）して、各ボルト１２０及び各ナット１２１にて、各右側・ベース縦材２０,２２,２４に固定される。
各右側・第２ストッパ体１０５は、各ボルト１２０を緩めることで、各ボルト１２０にてガイド（案内）されつつ各スライド用長穴１１９，１１９に沿って、前後方向ＦＲに可動自在とされる。
【００９５】
各左側・第２ストッパ体１０６は、図１９、図２０、図２２乃至図２４及び図３９に示すように、各収納空間Ｙ１〜Ｙ３の夫々に配置され、上下方向ＵＤにおいて、各旋回プラットホーム３５〜３７及び各左側・ガイド体７４の間に配置される。
各左側・第２ストッパ体１０６は、前後方向ＦＲにおいて、各左側・第１ストッパ体９５に間隔を隔てて配置され、各左側・ガイド体７４の固定平板部７６Ｂ（後方側・固定平板部）に設置される。各左側・第２ストッパ体１０６は、前後方向ＦＲにおいて、前方側ストッパ平板１１６を前方に向けて配置される。各左側・第２ストッパ体１０６は、前方側ストッパ平板１１６を各左側・可動体７５の後方側平板８２に平行配置して、固定平板部７６Ｂに載置される。
各左側・第２ストッパ体１０６は、各スライド用長穴１１９，１１９を固定平板部７６Ｂの各固定用穴７９Ｂ，７９Ｂに対向配置し、及びストッパ固定平板１１５を各左側・ガイド体７４の固定平板部７６Ｂ上に載置して設置される。
各左側・第２ストッパ体１０６は、図１９、図２０、図２２、図２５及び図３９に示すように、複数のボルト１２０（ネジ軸材）及びナット１２１にて各左側・ベース縦材２１，２３，２５に固定される。各ボルト１２０は、各左側・第２ストッパ体１０６の各スライド用長穴１１９，１１９、各左側・ガイド体７４の各固定用穴７９Ｂ，７９Ｂ、スペーサ平板９３及び各左側・ベース縦材２１，２３，２５を貫通して配置される。各ナット１２１は、各左側・ベース縦材２１，２３，２５から突出するボルト１２０に螺着される。
これにより、各左側・第２ストッパ体１０６、及び各左側・ガイド体７４は、各ボルト１２０及び各ナット１２１の締付けにて、各左側・ベース縦材２１，２３，２５（乗降プラットホーム２／プラットホーム本体７）に固定される。
各左側・第２ストッパ体１０６は、前方側ストッパ平板１１６を前後方向ＦＲの後方規制位置Ｐ１に位置決め（固定）して、各ボルト１２０及び各ナット１２１にて、各左側・ベース縦材２１,２３,２５に固定される。
各左側・第２ストッパ体１０６は、各ボルト１２０を緩めることで、各ボルト１２０にてガイド（案内）されつつ各スライド用長穴１１９，１１９に沿って、前後方向ＦＲに可動自在とされる。
【００９６】
各右側・可動体７３は、図２０、図２１、図２３及び図２４に示すように、第１ストッパ体９４及び第２ストッパ体１０５の間に配置され、第１及び第２ストッパ体９４，１０５の間にて、前後方向ＦＲに可動自在とされる。各右側・第１ストッパ体９４において、ストッパ平板９７は、図５０及び図５１に示すように、各右側・可動体７３の前方側平板８１に当接され、各右側・可動体７３の前後方向ＦＲの移動（可動）を規制する。これにより、各右側・第１ストッパ体９４は、右側・可動体７３を前方規制位置Ｐ２に規制する。
各右側・第２ストッパ体１０５において、前方側ストッパ平板１１６は、図２１、図２３及び図２４に示すように、各右側・可動体７３の後方側平板８２に当接され、各右側・可動体７３の前後方向ＦＲの移動（可動）を規制する。これにより、各右側・第２ストッパ体１０５は、右側・可動体７３の移動（可動）を後方規制位置Ｐ１に規制する。
【００９７】
各左側・可動体７５は、図２０、及び図２２乃至図２４に示すように、第１ストッパ体９５及び第２ストッパ体１０６の間に配置され、第１及び第２ストッパ体９５，１０６の間にて、前後方向ＦＲに可動自在とされる。各左側・第１ストッパ体９５において、ストッパ平板９７は、図５０及び図５１に示すように、各左側・可動体７５の前方側平板８１に当接され、各左側・可動体７５の前後方向ＦＲの移動（可動）を規制する。これにより、各右側・第１ストッパ体９４は、右側・可動体７３を前方規制位置Ｐ２に規制する。
各左側・第２ストッパ体１０６において、前方側ストッパ平板１１６は、図２２乃至図２４に示すように、各左側・可動体７５の後方側平板８２に当接され、各左側・可動体７５の前後方向ＦＲの移動（可動）を規制する。これにより、各左側・第２ストッパ体１０６は、右側・可動体７３の移動（可動）を後方規制位置Ｐ１に規制する。
【００９８】
＜ストッパ調整体１０７，１０８＞
右側及び左側の各ストッパ調整体１０７，１０８は、図１９、図２０乃至図２４及び図４０に示すように、調整平板１２７、及び左右一対の支持平板１２８，１２９、及び調整ネジ軸材１３０を有して構成される。
【００９９】
調整平板１２７は、図４０に示すように、ネジ穴１２５を有する。ネジ穴１２５は、前後方向ＵＤにおいて、調整平板１２７を貫通する。
各支持平板１２８，１２９は、図４０に示すように、左右方向ＬＲにおいて、相互に間隔を隔てて平行配置される。各支持平板１２８，１２９は、前後方向ＦＲにおいて、調整平板１２７に直交して調整平板１２７に固定される。
調整ネジ軸材１３０は、図４０に示すように、調整平板１２７のネジ穴１２５に螺着され、前後方向ＵＤにおいて、調整平板１２７を貫通して配置される。
【０１００】
各右側・ストッパ調整体１０７は、図１９乃至図２１、図２３及び図２４に示すように、各収納空間Ｙ１〜Ｙ３の夫々に配置され、上下方向ＵＤにおいて、各旋回プラットホーム３５〜３７及び各右側・ベース縦材２０，２２，２４の間に配置される。
各右側・ストッパ調整体１０７は、前後方向ＦＲにおいて、各右側・第２ストッパ体１０５より後方側（横枠材１５側）に配置される。各右側・ストッパ調整体１０７は、前後方向ＦＲにおいて、各右側・第２ストッパ体１０５に間隔を隔てて配置される。各右側・ストッパ調整体１０７は、前後方向ＦＲにおいて、調整平板１２７を前方に向けて各右側・ベース縦材２０，２２，２４に設置される。
各右側・ストッパ調整体１０７は、調整平板１２７を各右側・第２ストッパ体１０５の後方側ストッパ平板１１７に平行配置して、各右側・ベース縦材２０，２２，２４に設置される。
各右側・ストッパ調整体１０７は、上下方向ＵＤにおいて、調整平板１２７及び各支持平板１２８，１２９を各右側・ベース縦材２０，２２，２４の上平面２０Ａ，２２Ａ，２４Ａに立設し、及び調整平板１２７及び各支持平板１２８，１２９を各右側・ベース縦材２０，２２，２４に固定して設置される。
各右側・ストッパ調整体１０７は、調整ネジ軸材１３０の前方軸端を各右側・第２ストッパ体１０５の後方側ストッパ平板１１７に固定して配置される。
これにより、各右側・ストッパ調整体１０７は、各ボルト１２０，１２０を緩めた状態において、調整ネジ軸材１３０を回転することで、各右側・第２ストッパ体１０５を前後方向ＦＲに移動して、各右側・第２ストッパ体１０５の位置を調整する。
【０１０１】
各左側・ストッパ調整体１０８は、図１９、図２０、図２２乃至図２４に示すように、各収納空間Ｙ１〜Ｙ３の夫々に配置され、上下方向ＵＤにおいて、各旋回プラットホーム３５〜３７及び各左側・ベース縦材２１，２３，２５の間に配置される。
各左側・ストッパ調整体１０８は、前後方向ＦＲにおいて、各左側・第２ストッパ体１０６より後方側（横枠材１５側）に配置される。各左側・ストッパ調整体１０８は、前後方向ＦＲにおいて、各左側・第２ストッパ体１０６に間隔を隔てて配置される。各左側・ストッパ調整体１０８は、前後方向ＦＲにおいて、調整平板１２７を前方に向けて各左側・ベース縦材２１，２３，２５に設置される。
各左側・ストッパ調整体１０８は、調整平板１２７を各左側・第２ストッパ体１０６の後方側ストッパ平板１１７に平行配置して、各左側・ベース縦材２１，２３，２５に設置される。
各左側・ストッパ調整体１０８は、上下方向ＵＤにおいて、調整平板１２７及び各支持平板１２８，１２９を各左側・ベース縦材２１，２３，２５の上平面２１Ａ，２３Ａ，２５Ａに立設し、及び調整平板１２７及び各支持平板１２８，１２９を各左側・ベース縦材２１，２３，２５に固定して設置される。
各左側・ストッパ調整体１０８は、調整ネジ軸材１３０の前方軸端を各左側・第２ストッパ体１０６の後方側ストッパ平板１１７に固定して配置される。
これにより、各左側・ストッパ調整体１０８は、各ボルト１２０，１２０を緩めた状態において、調整ネジ軸材１３０を回転することで、各左側・第２ストッパ体１０６を前後方向ＦＲに移動して、各左側・第２ストッパ体１０６の位置を調整する。
【０１０２】
観覧車Ｘは、図１９乃至図２７、図４１及び図４２に示すように、複数の右側のプラットホーム保持体１３１（右側・プラットホーム保持体）、複数の左側のプラットホーム保持体１３２（左側・プラットホーム保持体）を備える。
【０１０３】
＜プラットホーム保持体１３１，１３２＞
各右側及び各左側のプラットホーム保持体１３１，１３２は、図１９乃至図２４、図４１及び図４２に示すように、保持軸材１３５（保持軸体）、案内ローラ１３６及びローラ回転軸１６３を有して構成される。
【０１０４】
保持軸材１３５は、例えば、ターンバックルで構成され、連結ロッド１３７、上方アーム１３８、下方アーム１３９を有する。
【０１０５】
連結ロッド１３７は、図４１及び図４２に示すように、右ネジ穴１４０、及び左ネジ穴１４１を有する。右ネジ穴１４０は、上下方向ＵＤの上方に延在され、連結ロッド１３７の上方端に開口する。左ネジ穴１４１は、上下方向ＵＤにおいて、右ネジ穴１４０に隣接して形成される。左ネジ穴１４１は、上下方向ＵＤの下方に延在され、連結ロッド１３７の下方端に開口する。
【０１０６】
上方アーム１３８は、図４１及び図４２に示すように、右ネジ軸部１４７、回転支持部１４８及び回転軸受穴１４９を有する。
【０１０７】
回転支持部１４８は、図４１及び図４２に示すように、上下方向ＵＤにおいて、右ネジ軸部１４７の上方端に連結（固定）される。回転支持部１４８は、連結平板１５０、及び左右一対の軸受平板１５１，１５２を有し、連結平板１５０は、右ネジ軸部１４７に直交して、右ネジ軸部１４７の上方端に連結（固定）される。各軸受平板１５１，１５２は、左右方向ＬＲにおいて、相互に間隔を隔てて平行配置される、各軸受平板１５１，１５２は、上下方向ＵＤにおいて、連結平板１５０に直交して、連結平板１５０の上方に延在される。各軸受平板１５１，１５２は、連結平板１５０に固定される。
【０１０８】
回転軸受穴１４９は、左右方向ＬＲにおいて、各軸受平板１５１，１５２を貫通して形成される。
【０１０９】
上方アーム１３８は、図４２に示すように、右ネジ軸部１４７を連結ロッド１３７の右ネジ穴１４０に螺着して、連結ロッド１３７に連結される。
【０１１０】
下方アーム１３９は、図４１及び図４２に示すように、左ネジ軸部１５５、ローラ支持部１５６、ローラ軸受穴１５７を有する。
【０１１１】
ローラ支持部１５６は、図４１及び図４２に示すように、上下方向ＵＤにおいて、左ネジ軸部１５５の下方端に連結（固定）される。ローラ支持部１５６は、連結平板１５９、左右一対のローラ支持平板１６０，１６１を有し、連結平板１５９は、左ネジ軸部１５５に直交して左ネジ軸部１５５の下方端に連結（固定）される。各ローラ支持平板１６０，１６１は、左右方向ＬＲにおいて、相互に間隔を隔てて平行配置される。各ローラ支持平板１６０，１６１は、上下方向ＵＤにおいて、連結平板１５９に直交して、連結平板１５９の下方に延在される。各ローラ支持平板１６０，１６１は、連結平板１５９に固定される。
【０１１２】
ローラ軸受穴１５７は、左右方向ＬＲにおいて、各ローラ支持平板１６０，１６１を貫通して形成される。
【０１１３】
下方アーム１３９は、図４２に示すように、左ネジ軸部１５５を連結ロッド１３７の左ネジ穴１４１に螺着して、連結ロッド１３７に連結される。
【０１１４】
案内ローラ１３６は、図４１及び図４２に示すように、上下方向ＵＤにおいて、保持軸材１３５の下方端部（下方アーム１３９のローラ支持部１５６）に配置される。案内ローラ１３６は、ローラ支持部１５６の各ローラ支持平板１６０，１６１の間に回転自在に配置される。案内ローラ１３６は、各ローラ支持平板１６０，１６１から突出して配置される。
【０１１５】
ローラ回転軸１６３は、図４１及び図４２に示すように、左右方向ＬＲにおいて、各ローラ支持平板１６０，１６１のローラ軸受穴１５７、及び案内ローラ１３６を貫通して配置される。
これにより、ローラ回転軸１６３は、左右方向ＬＲに延びる回転中心線を有し、案内ローラ１３６を保持軸材１３５の下方端部（下方アーム１３９のローラ支持部１５６）に回転自在に支持する。
【０１１６】
各プラットホーム保持体１３１，１３２において、保持軸材１３５は、図４２に示すように、上方アーム１３８、下方アーム１３９を回転することで、軸心線方向（上下方向ＵＤ）に伸縮自在とされる。これにより、各プラットホーム保持体１３１，１３２（保持軸材１３５）は、上下方向ＵＤの長さ（軸長）を調整できる。
【０１１７】
各右側・プラットホーム保持体１３１は、図１９乃至図２１、図２３及び図２４に示すように、各収納空間Ｙ１〜Ｙ３の夫々に配置され、上下方向ＵＤにおいて、各旋回プラットホーム３５〜３７及び各右側・可動体７３の間に配置される。各右側・プラットホーム保持体１３１は、上下方向ＵＤ及び左右方向ＬＲにおいて、各旋回プラットホーム３５〜３７の右側端部、及び各右側・可動体７３の間に配置される。
各右側・プラットホーム保持体１３１は、上下方向ＵＤにおいて、案内ローラ１３６を下方（各右側・可動体７３）に向けて配置され、及び案内ローラ１３６を各右側・可動体７３の収容空所ＹＸに挿入自在として配置される。
【０１１８】
各左側・プラットホーム保持体１３２は、図１９、図２０、及び図２２乃至図２４に示すように、各収納空間Ｙ１〜Ｙ３の夫々に配置され、上下方向ＵＤにおいて、各旋回プラットホーム３５〜３７及び各左側・可動体７５の間に配置される。各左側・プラットホーム保持体１３２は、上下方向ＵＤ及び左右方向ＬＲにおいて、各旋回プラットホーム３５〜３７の左側端及び各左側・可動体７５の間に配置される。
各左側・プラットホーム保持体１３２は、上下方向ＵＤにおいて、案内ローラ１３６を下方（各左側・可動体７５）に向けて配置され、及び案内ローラ１３６を各左側・可動体７５の収容空所ＹＸに挿入自在として配置される。
【０１１９】
各右側及び各左側・プラットホーム保持体１３１，１３２において、回転支持部１４８は、各プラットホーム保持体１３１，１３２の上方端部となる（以下、「プラットホーム保持体１３１，１３２の上方端部１４８」という）。
各右側及び各左側・プラットホーム保持体１３１，１３２において、案内ローラ１３６は、各プラットホーム保持体１３１，１３２の下方端部（以下、「プラットホーム保持体１３１，１３２の下方端部１３６」という）。
【０１２０】
観覧車Ｘは、図１９乃至図２４、図２６及び図２７に示すように、複数の右側の回転支持体１７５（右側・回転支持体）、及び複数の左側の回転支持体１７６（左側・回転支持体）、及び複数の連結体１８５を備える。
【０１２１】
＜回転支持体１７５，１７６＞
各右側及び各左側・回転支持体１７５，１７６は、図７、図１２、図１９乃至２４及び図２７に示すように、回転支持突部１７７、及び回転支持軸１７８を有して構成される。
各回転支持体１７５，１７６において、各回転支持突部１７７は、図７、図１２及び図２７に示すように、各旋回プラットホーム３５〜３７に配置される。各回転支持突部１７７は、各旋回プラットホーム３５〜３７において、天井板４９の裏平面４９Ｙ側に配置される。各回転支持突部１７７は、左右方向ＬＲにおいて、相互に間隔を隔てて対向して、各旋回プラットホーム３５〜３７の右側端部及び左側端部に配置される。各回転支持突部１７７は、前後方向ＵＤにおいて、各旋回プラットホーム３５〜３７の前方側に配置される。
各回転支持突部１７７は、上下方向ＵＤにおいて、各旋回プラットホーム３５〜３７の右側端部及び各右側・可動体７３の間に配置され、又は各旋回プラットホーム３５〜３７の左側端部及び各左側・可動体７５の間に配置される。各回転支持突部１７７は、図７、図１２及び図２７に示すように、各旋回プラットホーム３５〜３７の右側及び左側・縦枠部材４５Ｃ，４５Ｄに固定される。
各回転支持突部１７７は、図７、図１２及び図２７に示すように、支持軸受穴１７９を有する。支持軸受穴１７９は、左右方向ＬＲにおいて、各回転支持突部１７７を貫通して形成される。
【０１２２】
各右側・回転支持体１７５は、図２３及び図２４に示すように、各旋回プラットホーム３５〜３７を平行位置Ｑ１に配置した状態において、各回転支持突部１７７を後方規制位置Ｐ１及び前方規制位置Ｐ２の間に位置して、各旋回プラットホーム３５〜３７に配置される。
【０１２３】
各右側・回転支持体１７５は、各右側・プラットホーム保持体１３１を回転自在に支持する。
各右側・回転支持体１７５において、回転支持突部１７７は、図２０、図２１、図２３、図２４及び図２７に示すように、各右側・プラットホーム保持体１３１の回転支持部１４８に連結される。回転支持突部１７７は、回転支持部１４８の各軸受平板１５１，１５２の間に挿入して配置される。
各右側・回転支持体１７５において、回転支持軸１７８は、各軸受平板１５１，１５２の回転軸受穴１４９、及び回転支持突部１７７の支持軸受穴１７９を貫通して、各右側・プラットホーム保持体１３１の上方端部１４８（上方アーム１３８の回転支持部１４８）を回転自在に支持する。
各右側・回転支持体１７５は、左右方向ＬＲに延びる回転中心線（回転支持軸１７８）を有し、各右側・プラットホーム保持体１３１の上方端部１４８を各旋回プラットホーム３５〜３７の右側端部に回転自在に支持する。
【０１２４】
各左側・回転支持体１７６は、図２３及び図２４に示すように、各旋回プラットホーム３５〜３７を平行位置Ｑ１に配置した状態において、回転支持突部１７７を後方規制位置Ｐ１及び前方規制位置Ｐ２の間に位置して、各旋回プラットホーム３５〜３７に配置される。
【０１２５】
各左側・回転支持体１７６は、各左側・プラットホーム保持体１３２を回転自在に支持する。
各左側・回転支持体１７６において、回転支持突部１７７は、図２０、図２２乃至図２４及び図２７に示すように、各左側・プラットホーム保持体１３２の回転支持部１４８に連結される。回転支持突部１７７は、回転支持部１４８の各軸受平板１５１，１５２の間に挿入して配置される。
各左側・回転支持体１７６において、回転支持軸１７８は、各軸受平板１５１，１５２の回転軸受穴１４９、及び回転支持突部１７７の支持軸受穴１７９を貫通して、各右側・プラットホーム保持体１３２の上方端部１４８（上方アーム１３８の回転支持部１４８）を回転自在に支持する。
各左側・回転支持体１７６は、左右方向ＬＲに延びる回転中心線（回転支持軸１８２）を有し、各左側・プラットホーム保持体１３２の上方端部１４８を各旋回プラットホーム３５〜３７の左側端部に回転自在に支持する。
【０１２６】
＜連結体１８５＞
各連結体１８５は、図１９乃至図２２、図２６及び図２７に示すように、連結部材１８６、及び左右一対の連結円筒部材１８７，１８８を有して構成される。
連結部材１８６は、図１９乃至図２２、図２７に示すように、例えば、長尺部材であって、鋼材［アングル鋼材（Ｌ字鋼材）］で形成される。連結部材１８６は、左右方向ＬＲに延在する。
各連結円筒部材１８７，１８８は、図１９乃至図２２、及び図２７に示すように、例えば、鋼円筒材で形成される。各連結円筒部材１８７，１８８は、左右方向ＬＲにおいて、連結部材１８６の右端及び左端に固定（連結）される。
【０１２７】
各連結体１８５は、図２０乃至図２２、図２６及び図２７に示すように、各収納空間Ｙ１〜Ｙ３の夫々に配置され、左右方向ＬＲにおいて、右側及び左側・プラットホーム保持体１３１，１３２の間に配置される。
各連結体１８５は、図２０乃至図２２、及び図２７に示すように、各連結円筒部材１８７，１８８を、各プラットホーム支持体１３１，１３２の連結ロッド１３７に外嵌して、連結ロッド１３７に配置される。各連結円筒部材１８７，１８８は、各プラットホーム保持体１３１，１３２の連結ロッド１３７に固定される。
これにより、各連結体１８５は、左右方向ＬＲにおいて、各プラットホーム保持体１３１，１３２（連結ロッド１３７）を連結する。
【０１２８】
観覧車Ｘは、図１９乃至図２４、図２６、図２７、図２９及び図３２に示すように、複数の右側の切換案内体１９１（右側・切換案内体）、及び複数の左側の切換案内体１９２（左側・切換案内体）を備える。
【０１２９】
＜切換案内体１９１，１９２＞
各右側・切換案内体１９１は、図２０乃至図２４、図２６、図２７及び図２９に示すように、各収納空間Ｙ１〜Ｙ３の夫々に配置される。各右側・切換案内体１９１は、上下方向ＵＤにおいて、各右側・プラットホーム保持体１３１の下方端部１３６（案内ローラ１３６）及び各右側・可動体７３の間に位置して、各右側・可動体７３に設置される。各右側・切換案内体１９１は、各右側・可動体７３の収容空所ＹＸ内に配置される・
【０１３０】
各左側・切換案内体１９２は、図２０、図２１、図２３、図２４、図２６、図２７及び図３２に示すように、各収納空間Ｙ１〜Ｙ３の夫々に配置される。各右側・切換案内体１９１は、上下方向ＵＤにおいて、各プラットホーム保持体１３２の下方端部１３６（案内ローラ１３６）及び各左側・可動体７５の間に位置して、各左側・可動体７５に設置される。各左側・切換案内板１９２は、各左側・可動体７５の収容空所ＹＸ内に設置される。
【０１３１】
各右側及び各左側・切換案内体１９１，１９２は、図２０乃至図２４、図２６、図２７、図２９及び図３２に示すように、第１案内傾斜平面１９５、第２案内傾斜平面１９６、及び各案内傾斜平面１９５，１９６の頂点Ａ（頂辺）を有する。
【０１３２】
第１及び第２案内傾斜平面１９５，１９６は、例えば、第１及び第２傾斜平板１９８，１９９で形成される。第１及び第２傾斜平板１９８，１９９は、例えば、鋼平板で形成される。
【０１３３】
各切換案内体１９１，１９２において、第１傾斜平板１９８は、図２１乃至図２５、及び図２７に示すように、上下方向ＵＤにおいて、第１案内傾斜平面１９５を上方[各プラットホーム保持体１３１，１３２の下方端部１３６（案内ローラ１３６）]に向けて、各可動体７３，７５の収容空所ＹＸ内に配置される。
第１傾斜平板１９８は、図２９及び図３２に示すように、前後方向ＦＲにおいて、各可動体７３，７５の前方側平板８１にローラ間隔を隔てて配置される。第１傾斜平板１９８は、前方端部１９８Ａを各可動体７３，７５のスライド平板８０に固定して、スライド平板８０の上平面８０ａ上に設置される。
第１傾斜平板１９８は、図２９及び図３２に示すように、前方端部１９８Ａから上下方向ＵＤの上方、及び前後方向ＦＲの後方に向けて延在しつつ傾斜される。第１傾斜平板１９８は、図２５に示すように、前方端部１９８Ａから各旋回プラットホーム３５〜３７及び各可動体７３，７５の後方側平板８２に向けて延在しつつ傾斜される。
第１傾斜平板１９８は、左右方向ＬＲにおいて、各可動体７３，７５の右側平板８３及び左側平板８４の間に延在され、右側平板８３及び左側平板８４に固定される。
これにより、第１案内傾斜平面１９５は、各可動体７３，７５の前方端部８１側から、各旋回プラットホーム３５〜３７及び各可動体７３，７５の後方端部８２に向けて延在しつつ傾斜される。第１案内傾斜平面１９５は、左右方向ＬＲにおいて、各可動体７３，７５の右側平板８３及び左側平板８４の間に延在される。
【０１３４】
各右側及び各左側・切換案内体１９１，１９２において、第２傾斜平板１９９は、図２１乃至図２５に示すように、上下方向ＵＤにおいて、第２案内傾斜平面１９６を上方［各プラットホーム保持体１３１，１３２の下方端部１３６（案内ローラ１３６）］に向けて、各可動体７３，７５の収容空所ＹＸに配置される。
第２傾斜平板１９９は、図２９及び図３２に示すように、前後方向ＦＲにおいて、各可動体７３，７５の後方側平板８２にローラ間隔を隔てて配置される。第２傾斜平板１９９は、後方端部１９９Ｂを各可動体７３，７５のスライド平板８０に固定して、スライド平板８０の上平面８０ａに設置される。
第２傾斜平板１９９は、図２９及び図３２に示すように、後方端部１９９Ｂから上下方向ＵＤの上方及び前後方向ＦＲの前方に向けて延在しつつ傾斜される。
第２傾斜平板１９９は、図２５に示すように、後方端部１９９Ｂから各旋回プラットホーム３５〜３７及び各可動体７３，７５の前方側平板８１に向けて延在しつつ傾斜される。第２傾斜平板１９９は、左右方向ＬＲにおいて、各可動体７３，７５の右側平板８３及び左側平板８４の間に延在され、右側平板８３及び左側平板８４に固定される。
これにより、第２案内傾斜平面１９６は、各可動体７３，７５の後方端部８２側から、各旋回プラットホーム３５〜３７及び各可動体７３，７５の前方端部８１に向けて延在しつつ傾斜される。第１案内傾斜平面１９５は、左右方向ＬＲにおいて、各可動体７３，７５の右側平板８３及び左側平板８４の間に延在される。
【０１３５】
第１及び第２案内傾斜平面１９５，１９６（第１及び第２傾斜平板１９８，１９９）は、図２５に示すように、各可動体７３，７５のスライド平板８０に鋭角度θ１，θ２（第１鋭角度θ１，第２鋭角度θ２）をなして形成される。第１及び第２案内傾斜平面１９５，１９６は、各可動体７３，７５のスライド平板８０の上方において、相互に交差して頂点Ａ（頂辺）を形成する。頂点Ａは、図２５、図２９及び図３２に示すように、第１及び第２案内傾斜平面１９５，１９６の頂辺であり、第１傾斜平板１９８の後方端部１９８Ｂ及び第２傾斜平板１９９の前方端部１９９Ａを交差して形成される。
頂点Ａ（頂辺）は、図２５に示すように、上下方向ＵＤにおいて、各可動体７３，７５のスライド平板８０から上方に頂点間隔ＷＢを隔てて形成される。
頂点Ａである頂辺は、図２９及び図３２に示すように、左右方向ＬＲにおいて、各可動体７３，７５の右側平板８３及び左側平板８４の間に延在して形成される。頂点Ａである頂辺は、各可動体７３，７５の右側平板８３及び左側平板８４に直交（前方側及び後方側平板８１，８２に平行）して形成される。
【０１３６】
各右側及び各左側・切換案内体１９１，１９２は、図２３及び図２４に示すように、各可動体７３，７５を後方規制位置Ｐ１に配置した状態において、各プラットホーム保持体１３１，１３２の下方端部１３６（案内ローラ１３６）を各可動体７３，７５の前方端部８１（前方側平板８１）に案内自在とする。
各切換案内体１９１，１９２は、図２３及び図２４に示すように、各可動体７３，７５を後方規制位置Ｐ１に配置した状態において、各案内傾斜平面１９５，１９６の頂点Ａ（頂辺）を各回転支持体１７５，１７６の回転支持軸１７８（回転中心線）より後方側（第２ストッパ体１０５，１０６側）に位置して配置される。
各プラットホーム保持体１３１，１３２は、図２５に示すように、各可動体７３，７５を後方規制位置Ｐ１に配置した状態において、下方端部１３６（案内ローラ１３６）を各可動体７３，７５のスライド平板８０及び後方側平板８２に当接して、各旋回プラットホーム３５〜３７（天井板４９）に第３鋭角度θ３をなして傾斜される。
これにより、各プラットホーム保持体１３１，１３２は、後方規制位置Ｐ１において、各旋回プラットホーム３５〜３７を平行位置Ｑ１に保持する。
また、各プラットホーム保持体１３１,１３２において、案内ローラ１３６は、各可動体７３,７５の挿入口７３Ａ,７５Ａから収容空所ＹＸに挿入され、各切換案内体１９１,１９２の第２案内傾斜平面１９６に転動自在（当接自在）に配置される。
【０１３７】
各右側及び各左側・切換案内体１９１，１９２は、図５０及び図５１に示すように、各可動体７３，７５を前方規制位置Ｐ２に配置した状態において、各プラットホーム保持体１３１，１３２の下方端部１３６（案内ローラ１３６）を各可動体７３，７５の前方端部８１（前方側平板８１）に案内自在とする。
各切換案内体１９１，１９２は、図５０及び図５１に示すように、各可動体７３，７５を前方規制位置Ｐ２に配置した状態において、各案内傾斜平面１９５，１９６の頂点Ａ（頂辺）を各回転支持体１７５，１７６の回転支持軸１７８（回転中心線）より前方側（乗籠１側）に位置して配置される。
各プラットホーム保持体１３１，１３２は、図５０及び図５１に示すように、各可動体７３，７５を前方規制位置Ｐ２に配置した状態において、下方端部１３６（案内ローラ１３６）を各可動体７３，７５のスライド平板８０及び前方側平板８１に当接して、各旋回プラットホーム３５〜３７（天井板４９）に第４角度θ４をなして傾斜される。
これにより、各プラットホーム保持体１３１，１３２は、前方規制位置Ｐ２において、各旋回プラットホーム３５〜３７を旋回位置Ｑ２に保持する。
また、プラットホーム保持体１３１,１３２において、案内ローラ１３６は、各可動体７３,７５の挿入口７３Ａ,７５Ａから収容空所ＹＸに挿入され、各切換案内体１９１,１９２の第１案内傾斜平面１９５に転動自在（当接自在）に配置される。
【０１３８】
各切換案内体１９１，１９２は、第１及び第２鋭角度θ１，θ２を調整して設定することで、後方規制位置Ｐ１、前方規制位置Ｐ２において、頂点Ａ（頂辺）を、回転支持軸１７８（回転中心線）より前後方向ＦＲの後方側又は前方側に位置（配置）する。
【０１３９】
各プラットホーム保持体１３１，１３２の第３鋭角度θ３及び第４角度θ４は、図２５及び図５１に示すように、各可動体７３，７５の移動距離ＬＹ、及び各プラットホーム保持体１３１，１３２の全長ＬＸを調整して設定する。このとき、各プラットホーム保持体１３１，１３２の全長ＬＸは、各可動体７３，７５の移動距離ＬＹより長くする。
各プラットホーム保持体１３１,１３２の全長ＬＸは、図２５に示すように、回転支持軸１７８及び案内ローラ１３６の下方端の間の長さである。
【０１４０】
次に、各旋回プラットホーム３５〜３７の旋回動作（旋回方法）について、図面を参照して説明する。
なお、説明の便宜上、旋回プラットホーム３６（中間・旋回プラットホーム）の旋回動作（旋回方法）について説明する。
また、各旋回プラットホーム３５〜３７は、図２３、図２６、図２７及び図４３に示すように、平行位置Ｑ１に配置され、各可動体７３，７５は、後方規制位置Ｐ１に配置されているものとする。
【０１４１】
図４３乃至図４６において、旋回プラットホーム３６は、左右一対の引上部材ＨＢを使用して旋回される。各引上部材ＨＢは、図４３及び図４４に示すように、引上棒材２０１、左右一対の引上鍔片２０２，２０３及び把手部２０５を有する。引上棒材２０１は、引上穴５２の円形穴部５２Ａより小径の円形の鋼軸材である。各引上鍔片２０２，２０３は、引上穴５２の長穴部５２Ｂより長さの短い、及び幅の狭い鋼平板である。各引上鍔片２０２，２０３は、引上棒材２０１の下方端側に固定され、引上棒材２０１の径外方に突出して延在される。引上棒材２０１は、係止棒部２０４を有し、係止棒部２０４は、各引上鍔片２０２，２０３の下方に突出される。把手部２０５は、引上げ棒材２０１の上方側を折曲げて形成される。
【０１４２】
各引上部材ＨＢは、図４３、図４５及び図４６に示すように、各旋回プラットホーム３６に設置される。各引上部材ＨＢは、図４５（ａ）に示すように、係止棒部２０４を引上穴５２の円形穴部５２Ａに挿入し、及び各引上鍔片２０２，２０３を引上穴５２の長穴部５２Ｂに挿入して配置される。
また、各引上部材ＨＢは、図４５（ｂ）及び図４５（ｃ）に示すように、上下方向ＵＤにおいて、旋回プラットホーム３６の下方側（天井板４９の裏平面４９Ｙ側）に引下げて、係止棒部２０４を引上穴５６の円形穴部５６Ａ及び円形穴部５５Ａに挿入し、及び各引上鍔片２０２，２０３を引上穴５６の長穴部５６Ｂに挿入して配置される。
【０１４３】
続いて、各引上部材ＨＢは、図４６に示すように、９０度回転されて、各引上鍔片２０２，２０３を引上穴５６の長穴部５６Ｂから取付平板部５４に対向する。
これにより、各引上部材ＨＢは、各引上鍔片２０２，２０３を各引上体５０，５１の取付平板部５４及び保持平板部５５の間に位置して、旋回プラットホーム３６に設置される。
また、各引上部材ＨＢにおいて、引上棒材２０１及び把手部２０５は、図４３及び図４６（ｃ）に示すように、上下方向ＵＤにおいて、旋回プラットホーム３６の上方に突出して配置される。
【０１４４】
旋回プラットホーム３６に設置した状態において、作業者は、図４３に示すように、各引上部材ＨＢの把手部２０５を掴んで、各引上部材ＨＢを上下方向ＵＤの上方に引上げる。
これにより、各引上部材ＨＢは、図４６に示すように、各引上鍔片２０２，２０３を各引上体５０，５１の取付平板部５４に引掛けて（当接して）、旋回プラットホーム３６を引上げる。
旋回プラットホーム３６は、図４７に示すように、旋回支持体３９の各回転軸材６４，６５（回転中心線）を旋回中心として、平行位置Ｑ１から乗籠１の床面６（踏み板５の床面６）に向けて旋回される。
【０１４５】
旋回プラットホーム３６を引上げ、平行位置Ｑ１から乗籠１の床面６（踏み板５の床面６）の上方に旋回する（図４７参照）。
このとき、旋回プラットホーム３６は、図４７に示すように、各プラットホーム保持体１３１，１３２の案内ローラ１３６（下方端部）を各可動体７３，７５及び各切換案内体１９１，１９２から離間する位置まで旋回される。
これにより、各プラットホーム保持体１３１，１３２は、各回転支持体１７５，１７６の回転支持軸１７８（回転中心線）を回転中心として前方側（乗籠１側）に回転する。
また、旋回プラットホーム３６は、各プラットホーム保持体１３１，１３２の案内ローラ１３６（下方端部）を各切換案内体１９１，１９２の頂点Ａ（頂辺）より前方側（各可動体７３，７５の前方側平板８１側）に位置するまで旋回される。
右側及び左側・プラットホーム保持体１３１，１３２は、連結体１８５にて連結されるので、相互に同調（同期）して回転される。
【０１４６】
続いて、旋回プラットホーム３６を引下げ、平行位置Ｑ１に向けて旋回する（図４８参照）。
このとき、各プラットホーム保持体１３１，１３２において、案内ローラ１３６（下方端部）は、図４８に示すように、各切換案内体１９１，１９２の第１案内傾斜平面１９５（第１傾斜平板１９８）に当接し、旋回プラットホーム３６の引下げ（旋回）に伴って、第１案内傾斜平面１９５（第１傾斜平板１９８）を転動する。
右側及び左側・プラットホーム保持体１３１，１３２は、連結体１８５にて連結されるので、相互に同調（同期）して案内ローラ１３６（下方端部）を第１案内傾斜平面１９５に転動する。
案内ローラ１３６（下方端部）の転動に伴って、各プラットホーム保持体１３１，１３２（上方アーム１３８、連結ロッド１３７及び下方アーム１３９）は、図４８及び図４９に示すように、案内ローラ１３６を第１案内傾斜平面１９５に転動しつつ、各回転支持体１７５，１７６の回転支持軸１７８（回転中心線）を回転中心として、各可動体７３，７５の前方端部８１（前方側平板８１側）に向けて旋回（回転）される。
【０１４７】
更に、旋回プラットホーム３６を引下げ、平行位置Ｑ１に向けて旋回すると、各プラットホーム保持体１３１，１３２は、図４９に示すように、案内ローラ１３６（下方端部）を各可動体７３，７５の前方端部８１（前方側平板８１）及びスライド平板８０に当接して、各可動体７３，７５を前方側（乗籠１側）に可動（移動）する。
このとき、旋回プラットホーム３６の引下げ（旋回）に伴って、各プラットホーム保持体１３１，１３２は、各回転支持体１７５，１７６の回転支持軸１７８を回転中心として前方側に回転しつつ、案内ローラ１３６（下方端部）にて各可動体７３，７５を前方側（乗籠１側）に移動する。
これにより、各可動体７３，７５は、図５０及び図５１に示すように、後方規制位置Ｐ１から前方規制位置Ｐ２まで移動される。
【０１４８】
前方規制位置Ｐ２において、各可動体７３，７５は、図５０及び図５１に示すように、前方側平板８１（前方端部）を、各第１ストッパ体９４，９５のストッパ平板９７に当接する。
これにより、各第１ストッパ体９４，９５は、各可動体７３，７５の移動を規制（停止）し、各可動体７３，７５を前方規制位置Ｐ２に保持する。
前方規制位置Ｐ２において、各可動体７３，７５は、図５１に示すように、各プラットホーム保持体１３１，１３２の案内ローラ１３６（下方端部）を前方側平板８１にて支持して、各プラットホーム保持体１３１を第４角度θ４に保持する
各可動体７３，７５を前方規制位置Ｐ２に配置（位置）した状態において、各プラットホーム保持体１３１，１３２は、各回転支持体１７５，１７６の回転支持軸１７８を回転中心とする回転を停止する。
このとき、各プラットホーム保持体１３１，１３２は、第４鋭角度θ４に保持され、旋回プラットホーム３６の引下げ（旋回）を停止する。
これにより、各プラットホーム保持体１３１，１３２は、図１、図２、図５０乃至図５２に示すように、旋回プラットホーム３６を旋回位置Ｑ２に保持する。旋回プラットホーム３６は、旋回位置Ｑ２に配置（位置）される。
旋回位置Ｑ２において、旋回プラットホーム３６は、前方端４９Ａ（天井板４９の前方端４９Ａ）を乗籠１の床面６（踏み板５の床面６）に一致し、及び上下方向ＵＤにおいて、前方端４９Ａ（天井板４９の前方端４９Ａ）を乗籠１の床面６と同一高さ（同一の高さ位置）に配置する。
各可動体７３，７５を前方規制位置Ｐ２に配置（位置）した状態において、各切換案内体１９１，１９２は、図５０及び図５１に示すように、頂点Ａ（頂辺）を各回転支持体１７５，１７６の回転支持軸１７８より前方側（乗籠１側）に位置して配置される。
【０１４９】
車椅子Ｅの乗員は、図１及び図２に示すように、車椅子Ｅを旋回位置Ｑ２に配置（位置）した旋回プラットホーム３６に走行して、乗降口３から乗籠１に乗降する。
【０１５０】
旋回位置Ｑ２に配置（位置）した旋回プラットホーム３６を引上げて、乗籠１の床面６（踏み板５の床面６）の上方に旋回する（図５３参照）。
このとき、旋回プラットホーム３６は、図５３に示すように、各プラットホーム保持体１３１，１３２の案内ローラ１３６（下方端部）を各可動体７３，７５及び各切換案内体１９１，１９２から離間する位置まで旋回される。
これにより、各プラットホーム支持体１３１，１３２は、各回転支持体１７５，１７６の回転支持軸１７８（回転中心線）を回転中心として後方側（各第２ストッパ体１０５，１０６側）に回転する。
また、旋回プラットホーム３６は、図５３に示すように、各プラットホーム保持体１３１，１３２の案内ローラ１３６（下方端部）を各切換案内体１９１，１９２の頂点Ａ（頂辺）より後方側（各可動体７３，７５の後方側平板８２側）に位置するまで旋回される。
右側及び左側・プラットホーム保持体１３１，１３２は、連結体１８５にて連結されるので、相互に同調（同期）して回転される。
【０１５１】
続いて、旋回プラットホーム３６を引下げ、平行位置Ｑ１に向けて旋回する（図５４参照）。
このとき、各プラットホーム保持体１３１，１３２において、案内ローラ１３６（下方端部）は、図５４に示すように、各切換案内体１９１，１９２の第２案内傾斜平面１９６（第１傾斜平板１９８）に当接し、旋回プラットホーム３６の引上げ（旋回）に伴って、第２案内傾斜平面１９６（第２傾斜平板１９９）を転動する。
右側及び左側・プラットホーム保持体１３１，１３２は、連結体１８５にて連結されるので、相互に同調（同期）して案内ローラ１３６（下方端部）を第２案内傾斜平面１９６に転動する。
案内ローラ１３６（下方端部）の転動に伴って、各プラットホーム保持体１３１，１３２（上方アーム１３８、連結ロッド１３７及び下方アーム１３９）は、案内ローラ１３６を第２案内傾斜平面１９６に転動しつつ、各回転支持体１７５，１７６の回転支持軸１７８（回転中心線）を回転中心として、各可動体７３，７５の後方端部８２（後方側平板８２）に向けて旋回（回転）される。
【０１５２】
更に、旋回プラットホーム３６を引下げ、平行位置Ｑ１に向けて旋回すると、各プラットホーム保持体１３１，１３２は、図５５に示すように、案内ローラ１３６（下方端部）を各可動体７３，７５の後方端部８２（後方側平板８２）に当接して、各可動体７３，７５を後方側（第２ストッパ体１０５，１０６側）に移動する。
このとき、旋回プラットホーム３６の引下げ（旋回）に伴って、各プラットホーム保持体１３１，１３２は、各回転支持体１７５，１７６の回転支持軸１７８を回転中心として後方側に回転しつつ、案内ローラ１３６（後方端部）にて各可動体７３，７５を後方側（第２ストッパ体１０５，１０６側）に移動する。
これにより、各可動体７３，７５は、図２３及び図２４に示すように、前方規制位置Ｐ２から後方規制位置Ｐ１まで移動される。
【０１５３】
後方規制位置Ｐ１において、各可動体７３，７５は、図２３及び図２４に示すように、後方側平板８２（後方端部）を、各第２ストッパ体１０５，１０６の前方側ストッパ平板１１６に当接する。
これにより、第２ストッパ体１０５，１０６は、各可動体７３，７５の移動を規制（停止）し、各可動体７３，７５を後方規制位置Ｐ１に保持する。
各可動体７３，７５を後方規制位置Ｐ１に配置（位置）した状態において、各ブラケット保持体１３１，１３２は、各回転支持体１７５，１７６の回転支持軸１７８を回転中心とする回転を停止する。
このとき、各プラットホーム保持体１３１，１３２は、図２５に示すように、各可動体７３，７５にて第３鋭角度θ３に保持され、旋回プラットホーム３６の引下げ（旋回）を停止する。
これにより、各プラットホーム保持体１３１，１３２は、図２３、図２４、図２６及び図４３に示すように、旋回プラットホーム３６を平行位置Ｑ１に保持する。旋回プラットホーム３６は、平行位置Ｑ１に配置（位置）される。
後方規制位置Ｐ２において、各可動体７３，７５は、各プラットホーム保持体１３１，１３２の案内ローラ１３６（下方端部）を、後方側平板８２（後方端部）にて支持して、各プラットホーム保持体１３１，１３２を第３鋭角度θ３に保持する。
各可動体７３，７５を前方規制位置Ｐ１に配置（位置）した状態において、各切換案内体１９１，１９２は、図２３及び図２４に示すように、頂点Ａ（頂辺）を各回転支持体１７５，１７６の回転支持軸１７８より後方側（第２ストッパ体１０５，１０６側）に位置して配置される。
【０１５４】
各旋回プラットホーム３５，３７（右側及び左側・旋回プラットホーム）は、旋回プラットホーム３６（中間・旋回プラットホーム）と同様に、平行位置Ｑ１から旋回位置Ｑ２に旋回（配置）され、又は旋回位置Ｑ２から平行位置Ｑ１に旋回（配置）される。
【産業上の利用可能性】
【０１５５】
本発明は、観覧車のプラットホームに最適である。
【符号の説明】
【０１５６】
Ｘ  観覧車
１  乗籠
２  乗降プラットホーム
３５  旋回プラットホーム
３６  旋回プラットホーム
３７  旋回プラットホーム
３８  旋回支持体
３９  旋回支持体
４０  旋回支持体
７３  可動体（右側・可動体）
７５  可動体（左側・可動体）
１３１  プラットホーム保持体（右側・プラットホーム保持体）
１３２  プラットホーム保持体（左側・プラットホーム保持体）
１７５  回転支持体（右側・回転支持体）
１７６  回転支持体（左側・回転支持体）
１９１  切換案内体（右側・切換案内体）
１９２  切換案内体（左側・切換案内体）
Ｐ１  後方規制位置
Ｐ２  前方規制位置
Ｑ１  平行位置
Ｑ２  旋回位置
【図１】
2018201885.tif 000003
【図２】
2018201885.tif 000004
【図３】
2018201885.tif 000005
【図４】
2018201885.tif 000006
【図５】
2018201885.tif 000007
【図６】
2018201885.tif 000008
【図７】
2018201885.tif 000009
【図８】
2018201885.tif 000010
【図９】
2018201885.tif 000011
【図１０】
2018201885.tif 000012
【図１１】
2018201885.tif 000013
【図１２】
2018201885.tif 000014
【図１３】
2018201885.tif 000015
【図１４】
2018201885.tif 000016
【図１５】
2018201885.tif 000017
【図１６】
2018201885.tif 000018
【図１７】
2018201885.tif 000019
【図１８】
2018201885.tif 000020
【図１９】
2018201885.tif 000021
【図２０】
2018201885.tif 000022
【図２１】
2018201885.tif 000023
【図２２】
2018201885.tif 000024
【図２３】
2018201885.tif 000025
【図２４】
2018201885.tif 000026
【図２５】
2018201885.tif 000027
【図２６】
2018201885.tif 000028
【図２７】
2018201885.tif 000029
【図２８】
2018201885.tif 000030
【図２９】
2018201885.tif 000031
【図３０】
2018201885.tif 000032
【図３１】
2018201885.tif 000033
【図３２】
2018201885.tif 000034
【図３３】
2018201885.tif 000035
【図３４】
2018201885.tif 000036
【図３５】
2018201885.tif 000037
【図３６】
2018201885.tif 000038
【図３７】
2018201885.tif 000039
【図３８】
2018201885.tif 000040
【図３９】
2018201885.tif 000041
【図４０】
2018201885.tif 000042
【図４１】
2018201885.tif 000043
【図４２】
2018201885.tif 000044
【図４３】
2018201885.tif 000045
【図４４】
2018201885.tif 000046
【図４５】
2018201885.tif 000047
【図４６】
2018201885.tif 000048
【図４７】
2018201885.tif 000049
【図４８】
2018201885.tif 000050
【図４９】
2018201885.tif 000051
【図５０】
2018201885.tif 000052
【図５１】
2018201885.tif 000053
【図５２】
2018201885.tif 000054
【図５３】
2018201885.tif 000055
【図５４】
2018201885.tif 000056
【図５５】
2018201885.tif 000057